(57)【要約】本発明は、ＣＳサービス、ＳＩＰベースサービス又はＣＳＩサービスを提供するための端末、方法、及びシステムに関し、一実施形態によると、前記端末は、少なくとも１つのターゲット端末の端末能力バージョンを受信し、前記受信された端末能力バージョンとすでに保存された前記少なくとも１つのターゲット端末の端末能力バージョンとを比較し、前記比較結果によって、前記少なくとも１つのターゲット端末の端末能力情報を要求するか否かを判断するコントローラを含み、前記端末能力バージョンにより前記少なくとも１つのターゲット端末の能力のバージョンを識別する。
2008546347.tif 000002
【特許請求の範囲】
【請求項１】
少なくとも端末の端末能力情報に基づいて端末能力バージョンを生成し、少なくとも１つのターゲット端末に前記端末能力バージョンを送信するコントローラを含み、前記端末能力バージョンにより前記端末の能力のバージョンを識別することを特徴とする、回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又は、ＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供できる端末。
【請求項２】
前記コントローラは、
ＩＭＳセッション設定中又はＣＳ呼設定中に前記少なくとも１つのターゲット端末に前記端末能力バージョンを送信することを特徴とする請求項１に記載の端末。
【請求項３】
前記コントローラは、
ＩＮＶＩＴＥメッセージ、呼設定メッセージ、呼接続メッセージ、又はＯＰＴＩＯＮＳメッセージにより前記端末能力バージョンを送信することを特徴とする請求項１に記載の端末。
【請求項４】
前記コントローラは、前記端末の能力に変更がある場合、
少なくとも前記変更された端末の能力に基づいて新しい端末能力バージョンを生成した後、次のＣＳ呼設定中又は次のＩＭＳセッション設定中に前記新しい端末能力バージョンを前記少なくとも１つのターゲット端末に送信することを特徴とする請求項１に記載の端末。
【請求項５】
前記新しい端末能力バージョンは、
ＩＮＶＩＴＥメッセージ又はＳＥＴＵＰメッセージにより前記少なくとも１つのターゲット端末に送信されることを特徴とする請求項４に記載の端末。
【請求項６】
前記コントローラは、
前記少なくとも１つのターゲット端末の端末能力バージョンを受信し、前記受信された少なくとも１つのターゲット端末の端末能力バージョンとすでに保存された前記少なくとも１つのターゲット端末の端末能力バージョンとを比較し、前記比較結果によって、前記少なくとも１つのターゲット端末の端末能力情報を要求するか否かを決定することを特徴とする請求項１に記載の端末。
【請求項７】
前記コントローラは、
前記受信された少なくとも１つのターゲット端末の端末能力バージョンがすでに保存された前記少なくとも１つのターゲット端末の端末能力バージョンと一致しない場合、前記少なくとも１つのターゲット端末の端末能力情報を要求することを特徴とする請求項６に記載の端末。
【請求項８】
前記コントローラは、
前記受信された少なくとも１つのターゲット端末の端末能力バージョンがすでに保存された前記少なくとも１つのターゲット端末の端末能力バージョンと一致する場合、前記少なくとも１つのターゲット端末に前記少なくとも１つのターゲット端末の端末能力情報を要求する過程をバイパスして設定手順を続けることを特徴とする請求項６に記載の端末。
【請求項９】
前記端末能力バージョンは、
少なくとも前記端末の端末能力情報に基づいて生成された固有の値であることを特徴とする請求項１に記載の端末。
【請求項１０】
前記コントローラは、
（ａ）前記端末の端末能力情報、前記端末に関連するパブリックユーザＩＤ、及び前記端末に関連するプライベートユーザＩＤ、又は
（ｂ）前記端末の端末能力情報及び前記端末に関連するパブリックユーザＩＤ
に基づいて前記端末能力バージョンを生成することを特徴とする請求項１に記載の端末。
【請求項１１】
前記端末の端末能力バージョンを保存する少なくとも１つの保存ユニットをさらに含むことを特徴とする請求項１に記載の端末。
【請求項１２】
前記少なくとも１つの保存ユニットは、メモリ、キャッシュ、又はＳＩＭ（ｓｕｂｓｃｒｉｂｅｒ  ｉｄｅｎｔｉｔｙ  ｍｏｄｕｌｅ）であることを特徴とする請求項１１に記載の端末。
【請求項１３】
前記端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項１に記載の端末。
【請求項１４】
ＩＭＳセッション設定中又はＣＳ呼設定中に、端末の端末能力バージョンを少なくとも１つのターゲット端末に送信し、前記少なくとも１つのターゲット端末の端末能力バージョンを受信するコントローラを含み、前記端末能力バージョンにより該当端末の能力のバージョンを識別することを特徴とする、回線交換（ＣＳ：Ｃｉｒｃｕｉｔ  ｓｗｉｔｃｈｅｄ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供できる端末。
【請求項１５】
前記端末の端末能力バージョンは、
少なくとも前記端末の能力情報に基づいて生成された固有の値であることを特徴とする請求項１４に記載の端末。
【請求項１６】
前記コントローラは、
（ａ）前記端末の端末能力情報、前記端末に関連するパブリックユーザＩＤ、及び前記端末に関連するプライベートユーザＩＤ、又は
（ｂ）前記端末の端末能力情報及び前記端末に関連するパブリックユーザＩＤ
に基づいて前記端末の端末能力バージョンを生成することを特徴とする請求項１４に記載の端末。
【請求項１７】
前記端末の端末能力バージョン及びパブリックユーザＩＤ、並びに前記少なくとも１つのターゲット端末の端末能力バージョン及びパブリックユーザＩＤを保存する少なくとも１つの保存ユニットをさらに含むことを特徴とする請求項１４に記載の端末。
【請求項１８】
前記端末の端末能力バージョン及び／又は前記少なくとも１つのターゲット端末の端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項１４に記載の端末。
【請求項１９】
少なくとも１つのターゲット端末の端末能力バージョンを受信し、前記受信された端末能力バージョンとすでに保存された前記少なくとも１つのターゲット端末の端末能力バージョンとを比較し、前記比較結果によって、前記少なくとも１つのターゲット端末の端末能力情報を要求するか否かを決定するコントローラを含み、前記端末能力バージョンにより前記少なくとも１つのターゲット端末の能力のバージョンを識別することを特徴とする、回線交換（ＣＳ：Ｃｉｒｃｕｉｔ  ｓｗｉｔｃｈｅｄ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供できる端末。
【請求項２０】
前記コントローラは、
前記受信された少なくとも１つのターゲット端末の端末能力バージョンが前記すでに保存された少なくとも１つのターゲット端末の端末能力バージョンと一致しない場合、前記少なくとも１つのターゲット端末の端末能力情報を要求することを特徴とする請求項１９に記載の端末。
【請求項２１】
前記コントローラは、
前記受信された少なくとも１つのターゲット端末の端末能力バージョンが前記すでに保存された少なくとも１つのターゲット端末の端末能力バージョンと一致する場合、前記少なくとも１つのターゲット端末に前記少なくとも１つのターゲット端末の端末能力情報を要求する過程をバイパスしてＣＳ又はＩＭＳ過程に進むことを特徴とする請求項２０に記載の端末。
【請求項２２】
前記コントローラは、
ＯＰＴＩＯＮＳメッセージを利用して前記少なくとも１つのターゲット端末の現在の端末能力情報を要求することを特徴とする請求項２０に記載の端末。
【請求項２３】
前記コントローラは、
ＣＳ呼設定中又はＩＭＳセッション設定中に、前記少なくとも１つのターゲット端末から前記少なくとも１つのターゲット端末の端末能力バージョンを受信することを特徴とする請求項１９に記載の端末。
【請求項２４】
前記少なくとも１つのターゲット端末の端末能力バージョンは、
少なくとも前記少なくとも１つのターゲット端末の端末能力情報に基づいて生成される固有の値であることを特徴とする請求項１９に記載の端末。
【請求項２５】
前記少なくとも１つのターゲット端末の端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項１９に記載の端末。
【請求項２６】
前記少なくとも１つのターゲット端末は、
前記コントローラと端末能力情報を互いに選択的に交換する第２端末及び第３端末を含み、前記第３端末は、転送機能設定情報に基づいて前記端末と直接通信するように前記第２端末により指定されることを特徴とする請求項１９に記載の端末。
【請求項２７】
前記コントローラが前記転送機能設定情報に基づいて前記第２端末のための設定要求メッセージを送信する場合、前記第３端末は、前記設定要求を受信し、前記第３端末の端末能力バージョンを前記コントローラに送信することを特徴とする請求項２６に記載の端末。
【請求項２８】
前記コントローラは、
前記受信された第３端末の端末能力バージョンと保存された第３端末の端末能力バージョンとを比較し、前記比較結果によって、前記第３端末の端末能力情報を要求するか否かを決定することを特徴とする請求項２７に記載の端末。
【請求項２９】
前記コントローラは、
前記受信された第３端末の端末能力バージョンが前記保存された第３端末の端末能力バージョンと一致しない場合、前記第３端末の端末能力情報を要求し、
前記受信された第３端末の端末能力バージョンが前記保存された第３端末の端末能力バージョンと一致する場合、前記端末能力情報を要求する過程をバイパスして要求されたサービスを行う段階に進むことを特徴とする請求項２８に記載の端末。
【請求項３０】
端末が少なくとも前記端末の端末能力情報に基づいて端末能力バージョンを生成する段階と、
前記端末が前記生成された端末能力バージョンを少なくとも１つのターゲット端末に送信する段階とを含み、
前記端末能力バージョンにより前記端末の能力のバージョンを識別することを特徴とする、回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスのＣＳＩサービスを提供する方法。
【請求項３１】
前記送信段階は、
ＩＭＳセッション設定中又はＣＳ呼設定中に前記端末能力バージョンを前記少なくとも１つのターゲット端末に送信することを特徴とする請求項３０に記載の方法。
【請求項３２】
前記送信段階は、
ＩＮＶＩＴＥメッセージ、呼設定メッセージ、呼接続メッセージ、又はＯＰＴＩＯＮＳメッセージにより前記端末能力バージョンを送信することを特徴とする請求項３０に記載の方法。
【請求項３３】
前記端末の能力に変更がある場合、前記端末が少なくとも前記変更された端末の能力に基づいて新しい端末能力バージョンを生成する段階と、
前記端末が次のＣＳ呼設定又は次のＩＭＳセッション設定中に前記新しい端末能力バージョンを前記少なくとも１つのターゲット端末に送信する段階とをさらに含むことを特徴とする請求項３０に記載の方法。
【請求項３４】
前記新しい端末能力バージョン送信段階において、前記新しい端末能力バージョンは、
ＩＮＶＩＴＥメッセージ又はＳＥＴＵＰメッセージにより前記少なくとも１つのターゲット端末に送信されることを特徴とする請求項３３に記載の方法。
【請求項３５】
前記端末が前記少なくとも１つのターゲット端末の端末能力バージョンを受信する段階と、
前記端末が前記受信された少なくとも１つのターゲット端末の端末能力バージョンとすでに保存された少なくとも１つのターゲット端末の端末能力バージョンとを比較する段階と、
前記端末が前記比較結果によって前記少なくとも１つのターゲット端末の端末能力情報を要求するか否かを決定する段階とをさらに含むことを特徴とする請求項３０に記載の方法。
【請求項３６】
前記決定段階は、
前記受信された少なくとも１つのターゲット端末の端末能力バージョンが前記すでに保存された少なくとも１つのターゲット端末の端末能力バージョンと一致しない場合、前記少なくとも１つのターゲット端末の端末能力情報を要求すると決定することを特徴とする請求項３５に記載の方法。
【請求項３７】
前記決定段階は、
前記受信された少なくとも１つのターゲット端末の端末能力バージョンが前記すでに保存された少なくとも１つのターゲット端末の端末能力バージョンと一致する場合、前記少なくとも１つのターゲット端末に前記少なくとも１つのターゲット端末の端末能力情報を要求する過程をバイパスすると決定し、前記方法は、設定過程を続けることを特徴とする請求項３５に記載の方法。
【請求項３８】
前記生成段階において、前記端末能力バージョンは、
少なくとも前記端末の端末能力情報に基づいて生成された固有の値であることを特徴とする請求項３０に記載の方法。
【請求項３９】
前記生成段階は、
（ａ）前記端末の端末能力情報、前記端末に関連するパブリックユーザＩＤ、及び前記端末に関連するプライベートユーザＩＤ、又は
（ｂ）前記端末の端末能力情報及び前記端末に関連するパブリックユーザＩＤ
に基づいて前記端末能力バージョンを生成することを特徴とする請求項３０に記載の方法。
【請求項４０】
前記生成段階において、前記端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項３０に記載の方法。
【請求項４１】
端末がＩＭセッション設定中又はＣＳ呼設定中に少なくとも１つのターゲット端末に前記端末の端末能力バージョンを送信する段階と、
前記端末が前記ＩＭＳセッション設定中又はＣＳ呼設定中に前記少なくとも１つのターゲット端末から前記少なくとも１つのターゲット端末の端末能力バージョンを受信する段階とを含み、
前記端末能力バージョンにより該当端末の能力のバージョンを識別することを特徴とする、回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供する方法。
【請求項４２】
前記送信段階において、前記端末の端末能力バージョンは、
少なくとも前記端末の能力情報に基づいて生成される固有の値であることを特徴とする請求項４１に記載の方法。
【請求項４３】
前記送信段階で前記端末の端末能力バージョンは、
（ａ）前記端末の端末能力情報、前記端末に関連するパブリックユーザＩＤ、及び前記端末に関連するプライベートユーザＩＤ、又は
（ｂ）前記端末の端末能力情報及び前記端末に関連するパブリックユーザＩＤ
に基づいて生成されることを特徴とする請求項４１に記載の方法。
【請求項４４】
前記端末の少なくとも１つの保存ユニットに前記端末の端末能力バージョン及びパブリックユーザＩＤ、並びに前記少なくとも１つのターゲット端末の端末能力バージョン及びパブリックユーザＩＤを保存する段階をさらに含むことを特徴とする請求項４１に記載の方法。
【請求項４５】
前記送信及び／又は受信段階において、前記端末の端末能力バージョン及び／又は前記少なくとも１つのターゲット端末の端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項４１に記載の方法。
【請求項４６】
端末が少なくとも１つのターゲット端末の端末能力バージョンを受信する段階と、
前記端末が前記受信された少なくとも１つのターゲット端末の端末能力バージョンと保存された少なくとも１つのターゲット端末の端末能力バージョンとを比較する段階と、
前記端末が、前記比較結果によって、前記少なくとも１つのターゲット端末の端末能力情報を要求するか否かを決定する段階とを含み、
前記端末能力バージョンにより前記少なくとも１つのターゲット端末の能力のバージョンを識別することを特徴とする、回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供する方法。
【請求項４７】
前記決定段階において、
前記受信された少なくとも１つのターゲット端末の端末能力バージョンが前記保存された少なくとも１つのターゲット端末の端末能力バージョンと一致しない場合、
前記少なくとも１つのターゲット端末に前記少なくとも１つのターゲット端末の端末能力情報を要求すると決定することを特徴とする請求項４６に記載の方法。
【請求項４８】
前記決定段階は、
前記受信された少なくとも１つのターゲット端末の端末能力バージョンが前記保存された少なくとも１つのターゲット端末の端末能力バージョンと一致する場合、
前記少なくとも１つのターゲット端末に前記少なくとも１つのターゲット端末の端末能力情報を要求する過程をバイパスすると決定し、前記方法は、ＣＳ又はＩＭＳ過程に進むことを特徴とする請求項４７に記載の方法。
【請求項４９】
前記決定段階は、
ＯＰＴＩＯＮＳメッセージを利用して前記少なくとも１つのターゲット端末の現在の端末能力情報を要求すると決定することを特徴とする請求項４７に記載の方法。
【請求項５０】
前記受信段階は、
ＣＳ呼設定中又はＩＭＳセッション設定中に前記少なくとも１つのターゲット端末から前記少なくとも１つのターゲット端末の端末能力バージョンを受信することを特徴とする請求項４６に記載の方法。
【請求項５１】
前記少なくとも１つのターゲット端末の端末能力バージョンは、
少なくとも前記少なくとも１つのターゲット端末の端末能力情報に基づいて生成された固有の値であることを特徴とする請求項４６に記載の方法。
【請求項５２】
前記少なくとも１つのターゲット端末の端末能力バージョンは、
ＵＣＶ−ＸＸ（ＵＥ  ｃａｐａｂｉｌｉｔｙ  ｖｅｒｓｉｏｎ−ＸＸ）形式の値を有し、前記ＸＸは、２桁の１６進数であることを特徴とする請求項４６に記載の方法。
【請求項５３】
前記少なくとも１つのターゲット端末は、前記端末と端末能力情報を互いに選択的に交換する第２端末及び第３端末を含み、
前記第２端末が転送機能設定情報に基づいて前記第３端末が前記端末と直接通信するように指定し、前記端末が前記第２端末のための設定要求メッセージを送信する場合、前記方法は、
前記第３端末が前記転送機能設定情報に基づいて前記端末から前記設定要求を受信する段階と、
前記第３端末が前記設定要求に対する応答として前記第３端末の端末能力バージョンを送信する段階とをさらに含むことを特徴とする請求項４６に記載の方法。
【請求項５４】
前記端末が前記受信された第３端末の端末能力バージョンと保存された第３端末の端末能力バージョンとを比較する段階と、
前記比較結果によって、前記端末が前記第３端末の端末能力情報を要求するか否かを決定する段階とをさらに含むことを請求項５３に記載の特徴とする方法。
【請求項５５】
前記決定段階は、
前記受信された第３端末の端末能力バージョンが保存された第３端末の端末能力バージョンと一致しない場合、前記第３端末の端末能力情報を要求すると決定し、
前記受信された第３端末の端末能力バージョンが保存された第３端末の端末能力バージョンと一致する場合、前記端末能力情報要求過程をバイパスすると決定し、前記方法は、要求されたサービスを行う段階に進むことを特徴とする請求項５４に記載の方法。
【請求項５６】
以前のＣＳＩサービス中に、第１端末に第２端末のパブリックユーザＩＤ、前記第２端末の端末能力情報、及び前記第２端末の能力のバージョンを識別するための前記第２端末の端末能力バージョンを保存する段階と、
以前のＣＳＩサービス中に、前記第２端末に前記第１端末のパブリックユーザＩＤ、前記第１端末の端末能力情報、及び前記第１端末の能力のバージョンを識別するための前記第１端末の端末能力バージョンを保存する段階と、
前記第１端末の能力情報が動的に変更される場合、前記第１端末の端末能力情報を更新する段階と、
前記第１端末が少なくとも前記更新された第１端末の端末能力情報に基づいて前記第１端末の新しい端末能力バージョンを生成する段階と、
前記第１端末が前記第１端末の新しい端末能力バージョンを含むＩＭＳセッション設定のためのＩＮＶＩＴＥメッセージを前記第２端末に送信する段階と、
前記第２端末が前記受信された第１端末の端末能力バージョンと前記保存された第１端末の端末能力バージョンとを比較する段階と、
前記比較結果によって、前記第２端末が端末能力情報要求手順を選択的に行う段階とを含むことを特徴とする、回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供する方法。
【請求項５７】
前記選択的実行段階は、
前記比較の結果、前記受信された第１端末の端末能力バージョンが前記保存された第１端末の端末能力バージョンと一致しない場合、前記第２端末が前記第１端末の更新された端末能力情報を取得するために、ＳＩＰ  ＯＰＴＩＯＮＳメッセージを利用して前記第１端末と端末能力情報要求手順を行う段階を含むことを特徴とする請求項５６に記載の方法。
【請求項５８】
前記選択的実行段階は、
前記比較の結果、前記受信された第１端末の端末能力バージョンが前記保存された第１端末の端末能力バージョンと一致する場合、前記第２端末が前記端末能力情報要求手順をバイパスし、ＩＭＳセッションの設定後、現在のＣＳＩサービスに対するＣＳ呼設定に進む段階を含むことを特徴とする請求項５６に記載の方法。
【請求項５９】
前記保存段階において、
前記第１端末の端末能力バージョンは、少なくとも前記第１端末の端末能力情報に基づいて生成された固有の値であり、
前記第２端末の端末能力バージョンは、少なくとも前記第２端末の端末能力情報に基づいて生成された固有の値であることを特徴とする請求項５６に記載の方法。
【請求項６０】
以前のＣＳＩサービス中に、第１端末に第２端末のパブリックユーザＩＤ、前記第２端末の端末能力情報、及び前記第２端末の能力のバージョンを識別するための前記第２端末の端末能力バージョンを保存する段階と、
以前のＣＳＩサービス中に、前記第２端末に前記第１端末のパブリックユーザＩＤ、前記第１端末の端末能力情報、及び前記第１端末の能力のバージョンを識別するための前記第１端末の端末能力バージョンを保存する段階と、
前記第１端末の能力情報が動的に変更される場合、前記第１端末の端末能力情報を更新する段階と、
前記第１端末が少なくとも前記更新された第１端末の端末能力情報に基づいて前記第１端末の新しい端末能力バージョンを生成する段階と、
前記第１端末が現在のＣＳＩサービスのＣＳ呼設定のための呼設定メッセージを前記第２端末に送信する段階と、
前記第２端末が前記呼設定メッセージに対する応答として前記第２端末の現在の端末能力バージョンを含む呼接続メッセージを前記第１端末に送信する段階と、
前記第１端末が前記受信された呼接続メッセージに含まれる第２端末の端末能力バージョンと前記保存された第２端末の端末能力バージョンとの比較によって端末能力情報要求手順を選択的に行う段階と、
ＩＮＶＩＴＥメッセージ及び／又は前記送信された呼設定メッセージに前記第１端末の新しい端末能力バージョンが含まれ、前記第１端末から第２端末にＩＮＶＩＴＥメッセージを送信する段階と、
前記第２端末が前記受信された呼接続メッセージ及び／又はＩＮＶＩＴＥメッセージに含まれる前記第１端末の端末能力バージョンと前記保存された第１端末の端末能力バージョンとの比較によって端末能力情報要求手順を選択的に行う段階と
を含むことを特徴とする回線交換（ＣＳ）サービス、ＳＩＰ（ｓｅｓｓｉｏｎ  ｉｎｉｔｉａｔｉｏｎ  ｐｒｏｔｏｃｏｌ）ベースサービス、又はＣＳサービスとＩＭＳ（ＩＰ  ｍｕｌｔｉｍｅｄｉａ  ｓｕｂｓｙｓｔｅｍ）とのコンビネーションサービスであるＣＳＩサービスを提供する方法。
【請求項６１】
前記第１端末の選択的実行段階は、
前記比較の結果、前記受信された第２端末の端末能力バージョンが前記保存された第２端末の端末能力バージョンと一致しない場合、前記第１端末が、前記第２端末の更新された端末能力情報を取得するために、ＳＩＰ  ＯＰＴＩＯＮＳメッセージを利用して前記第２端末と前記端末能力情報要求手順を行う段階と、
前記比較の結果、前記受信された第２端末の端末能力バージョンが前記保存された第２端末の端末能力バージョンと一致する場合、前記第１端末が、前記端末能力情報要求手順をバイパスし、ＣＳ呼設定後に、前記現在のＣＳＩサービスのためのＩＭＳセッション設定に進む段階とを含むことを特徴とする請求項６０に記載の方法。
【請求項６２】
前記第２端末の選択的実行段階は、
前記比較の結果、前記受信された第１端末の端末能力バージョンが前記保存された第１端末の端末能力バージョンと一致しない場合、前記第２端末が、前記第１端末の更新された端末能力情報を取得するために、ＳＩＰ  ＯＰＴＩＯＮＳメッセージを利用して前記第１端末と前記端末能力情報要求手順を行う段階と、
前記比較の結果、前記受信された第１端末の端末能力バージョンが前記保存された第１端末の端末能力バージョンと一致する場合、前記第２端末が、前記端末能力情報要求手順をバイパスし、ＣＳ呼設定後に、前記現在のＣＳＩサービスのためのＩＭＳセッション設定に進む段階とを含むことを特徴とする請求項６０に記載の方法。
【請求項６３】
前記保存段階において、前記第１端末の端末能力バージョンは、少なくとも前記第１端末の端末能力情報に基づいて生成された固有の値であり、前記第２端末の端末能力バージョンは、少なくとも前記第２端末の端末能力情報に基づいて生成された固有の値であることを特徴とする請求項６０に記載の方法。
【発明の詳細な説明】
【技術分野】
【０００１】
本発明は、２つ以上のサービスを同時に行うためのコンビネーションサービスに関し、特に、端末の端末能力バージョン情報を利用してコンビネーションサービスを行う端末、方法、及びシステムに関する。
【背景技術】
【０００２】
コンビネーションサービスは、第１ユーザと第２ユーザ間で２つ以上のサービスを同時に行うためのサービスである。また、コンビネーションサービスは、２人以上のユーザ間で第１ネットワークベースの第１サービス、第２ネットワークベースの第２サービス、及び第３ネットワークベースの第３サービスのうち少なくとも２つ以上のサービスを組み合わせ、前記組み合わせたサービスを同時に行うサービスである。
【０００３】
第１ユーザと第２ユーザ間でコンビネーションサービスを行うために、第１ユーザと第２ユーザは、相手にサポートできるサービスに関する情報をそれぞれ把握し、第１ユーザと第２ユーザ間で使用できるサービスをネゴシエートしなければならない。
【０００４】
以下、様々な種類のコンビネーションサービスのうち、コンビネーションサービスの一例として、ＣＳＩ（Ｃｏｍｂｉｎａｔｉｏｎ  ｏｆ  ａ  ＣＳ  ｓｅｒｖｉｃｅ  ａｎｄ  ａｎ  ＩＭＳ  ｓｅｒｖｉｃｅ）について説明する。
【０００５】
ＣＳＩ（又は、ＣＳＩサービス）は、２以上のユーザ／端末間で、ＣＳ（Ｃｉｒｃｕｉｔ  Ｓｗｉｔｃｈｅｄ）サービスとＩＭＳ（ＩＰ  Ｍｕｌｔｉｍｅｄｉａ  Ｓｕｂｓｙｓｔｅｍ）サービスを組み合わせ（結合し）、前記組み合わせたサービスを同時に行うサービスを意味する。前記ＣＳＩにおいて、ＩＭＳサービスのためのＩＭＳセッションが第１ユーザ及び第２ユーザ間に予め設定されたＣＳ呼に加えられるか、又は、ＣＳ呼が前記第１ユーザ及び第２ユーザ間に予め設定されたＩＭＳセッションに加えられる。前記第１ユーザ及び第２ユーザ間に予め設定されたＣＳ呼に加えられるＩＭＳサービスは、ＩＭ（Ｉｎｓｔａｎｔ  ｍｅｓｓａｇｉｎｇ）、ビデオ共有、データ伝送などのＩＭＳベースサービスのうち１つ以上を含む。ＣＳＩの一例として、移動端末Ａのユーザと移動端末Ｂのユーザ間で移動電話通話（ＣＳサービス）を行い、通話中に前記移動端末Ａから前記移動端末Ｂにビデオクリップ又は写真を伝送する（ＩＭＳサービス）例がある。
【０００６】
図１は、従来の第１端末と第２端末間の一般的なコンビネーションサービス、例えば、ＣＳＩを提供するためのネットワーク構成を示す。図１に示すように、ＣＳＩのようなコンビネーションサービスを提供するための一般的なネットワークは、第１端末１０と第２端末２０間でＣＳＩのためのＣＳサービスをサポートするための第１ＣＳコアネットワーク３１及び第２ＣＳコアネットワーク３２と、前記第１端末１０と第２端末２０間でＣＳＩのためのＩＭＳサービスをサポートするための第１ＩＭＳコアネットワーク４１及び第２ＩＭＳコアネットワーク４２と、前記第１ＩＭＳコアネットワーク４１に接続されて前記第１端末１０に関連するＣＳＩのためのＩＭＳセッションの特定機能（例えは、サービスベース課金機能）を行う第１アプリケーションサーバ（ａｐｐｌｉｃａｔｉｏｎ  ｓｅｒｖｅｒ：ＡＳ）４３と、前記第２ＩＭＳコアネットワーク４２に接続されて前記ＣＳＩのためのＩＭＳセッションの特定機能（例えば、前記サービスベース課金機能）を行う第２ＡＳ４４と、前記第１端末１０を前記第１ＣＳコアネットワーク３１と前記第１ＩＭＳコアネットワーク４１（逆も同様）に接続するための第１無線アクセスネットワーク（ｘ−ｒａｄｉｏ  ａｃｃｅｓｓ  ｎｅｔｗｏｒｋ：ｘＲＡＮ）３０と、前記第２端末２０を前記第２ＣＳコアネットワーク３２と前記第２ＩＭＳコアネットワーク４２に（逆も同様）接続するための第２ｘＲＡＮ３３とから構成される。
【０００７】
前記ＣＳＩなどを提供するための一般的なネットワークは、前記ＣＳＩのＩＭＳセッションを設定するために前記第１ｘＲＡＮ３０と前記第１ＩＭＳコアネットワーク４１間に接続される第１ＰＳ（Ｐａｃｋｅｔ  Ｓｗｉｔｃｈｅｄ）コアネットワーク４０と、前記ＣＳＩのＩＭＳセッションを設定するために前記第２ｘＲＡＮ３３と前記第２ＩＭＳコアネットワーク４２間に接続される第２ＰＳコアネットワーク４５とをさらに含む。
【０００８】
前記第１ＣＳコアネットワーク３１及び第２ＣＳコアネットワーク３２は、それぞれ移動交換局（ｍｏｂｉｌｅ  ｓｗｉｔｃｈｉｎｇ  ｃｅｎｔｅｒ：ＭＳＣ）、ＶＬＲ（ｖｉｓｉｔｉｎｇ  ｌｏｃａｔｉｏｎ  ｒｅｇｉｓｔｅｒ）、及びＨＬＲ（ｈｏｍｅ  ｌｏｃａｔｉｏｎ  ｒｅｇｉｓｔｅｒ）をさらに含む。
【０００９】
以下、図１の一般的なネットワークの一般的なＣＳＩ提供方法について説明する。
【００１０】
第１端末１０と第２端末２０間のＣＳ呼の場合、第１ＣＳコアネットワーク３１及び第２ＣＳコアネットワーク３２を介してデータ及び制御信号の交換が行われる。ＩＭＳセッションの場合、第１ＰＳコアネットワーク４０及び第１ＩＭＳコアネットワーク４１を介して、また、第２ＩＭＳコアネットワーク４２及び第２ＰＳコアネットワーク４５を介してデータ及び制御信号の交換が行われる。
【００１１】
前記第１端末１０は、第１ＣＳコアネットワーク３１と第１ＰＳコアネットワーク４０に同時に接続するための機能を有し、前記第２端末２０は、第２ＣＳコアネットワーク３２と第２ＰＳコアネットワーク４５に同時に接続するための機能を有する。
【００１２】
前記第１端末１０と第２端末２０間でＣＳＩサービスを開始する前に、前記第１端末１０及び第２端末２０は、相手にサポートできるサービスに関する情報をそれぞれ取得するために、現在の無線環境情報及び端末能力情報を交換する。
【００１３】
端末の現在の無線環境情報は、ＣＳ呼設定後にユーザの行動を決定する上で重要な情報として用いられる。前記無線環境情報は、ＣＳ呼設定中にＣＳドメイン上で交換される。無線環境情報は、流動的であり、ＣＳ呼の設定時の環境によって異なるため、交換された無線環境情報はＣＳ呼の存続期間中にのみ有効な情報として用いられる。前記無線環境情報は、端末がＣＳＩのようにＣＳ及びＰＳサービスを同時にサポートできるか否かを示す情報を含む。
【００１４】
端末能力情報は、端末の能力を識別する情報であり、相手と通信中であるユーザが相手の使用可能なサービスを呼び出すか否かを決定するための情報として用いられる。前記端末能力情報は、ＩＭＳドメイン上で交換される。
【００１５】
図２は、図１の一般的なネットワークにおいて第１端末１０と第２端末２０間で端末能力情報を交換するための一般的な方法を示す。
【００１６】
図２を参照すると、前記第１端末１０は、前記第２端末２０の能力情報を要求するために第１ＩＭＳコアネットワーク４１及び第２ＩＭＳコアネットワーク４２を介して前記第２端末２０にＳＩＰ（Ｓｅｓｓｉｏｎ  Ｉｎｉｔｉａｔｉｏｎ  Ｐｒｏｔｏｃｏｌ）  ＯＰＴＩＯＮＳメッセージを送信する（Ｓ２１）。前記第２端末２０は、前記受信されたＯＰＴＩＯＮＳメッセージに含まれる前記第１端末１０のアドレス情報を保存した後（Ｓ２２）、前記ＳＩＰ  ＯＰＴＩＯＮＳメッセージに対する応答として前記第１端末１０に２００  ＯＫメッセージを送信する。前記２００  ＯＫメッセージは、前記第２端末２０の端末能力情報を含む（Ｓ２３）。
【００１７】
前記２００  ＯＫメッセージを受信した前記第１端末１０は、前記２００  ＯＫメッセージに含まれる第２端末２０の端末能力情報を保存する（Ｓ２４）。
【００１８】
一方、前記第２端末２０が前記第１端末１０から前記ＯＰＴＩＯＮＳメッセージを受信したが、前記第１端末１０の端末能力情報を要求するためのＯＰＴＩＯＮＳ（ＳＩＰ  ＯＰＴＩＯＮＳ）メッセージを前記第１端末１０に送信しなかった場合、前記第２端末２０は、前記第１端末１０に前記ＯＰＴＩＯＮＳメッセージを送信すると決定する（Ｓ２５）。前記第２端末２０から第１端末１０の端末能力情報を要求するためのＯＰＴＩＯＮＳメッセージを受信すると、前記第１端末１０は、前記受信されたＯＰＴＩＯＮＳメッセージに含まれる前記第２端末２０のアドレス情報を保存する（Ｓ２６及びＳ２７）。その後、前記第１端末１０は、前記受信されたＯＰＴＩＯＮＳメッセージに対する応答として２００  ＯＫメッセージを前記第２端末２０に送信する（Ｓ２８）。前記２００  ＯＫメッセージは、前記第１端末１０の能力情報を含む。
【００１９】
前記第２端末２０は、前記第１端末１０から送信された２００  ＯＫメッセージに含まれる前記第１端末１０の能力情報を保存する（Ｓ２９）。
【００２０】
これにより、前記第１端末１０と第２端末２０間で交換された前記第１端末１０の端末能力情報及び前記第２端末２０の端末能力情報は、前記第１端末１０と第２端末２０間の次の通信時の迅速なサービス設定の提供及びネットワーク負荷の低減のために、前記第１端末１０と第２端末２０にそれぞれ保存される。
【００２１】
前述した従来の方法によると、特定端末が相手端末の端末能力情報を取得するためには、相手端末に前記相手端末の端末能力情報を要求するためのＯＰＴＩＯＮＳメッセージを送信し、相手端末から相手端末の端末能力情報を含む応答メッセージを受信する必要がある。このような方式によると、前記端末は、１回ずつ相手端末に（例えば、呼設定のための）ＯＰＴＩＯＮＳメッセージを送信し、次回の使用のために、端末の受信された相手端末の端末能力情報を保存する。
【００２２】
従って、相手端末の能力情報（ｃａｐａｂｉｌｉｔｙ  ｉｎｆｏｒｍａｔｉｏｎ，  ｃａｐａｂｉｌｉｔｉｅｓ）が変更されない場合も、前記端末は、依然として前記相手端末に（例えば、呼設定のための）ＯＰＴＩＯＮＳメッセージを１回ずつ送信して変更されていない相手端末の端末能力情報を受信する動作を行う。しかし、前記相手端末の能力情報は、変更されておらず、かつ以前のＯＰＴＩＯＮＳ動作により既に保存されているので、不必要である。また、このような動作によりネットワークの負荷が増加する。
【００２３】
一方、一般に端末の実際の能力情報は動的に更新される。従来の前記端末能力情報（ｃａｐａｂｉｌｉｔｉｅｓ）が変更（更新）されるケースは次の通りである。
【００２４】
端末の実際の能力情報が前記端末内で変更される場合には３つのケースがある。すなわち、第１に、多様な装置（例えば、カメラなど）が前記端末に動的に着脱したケース、第２に、前記端末がＩＭＳサービスに登録されたケース、第３に、前記端末がダウンロードサービスを利用して新しいコーデックをダウンロードすることにより端末の現在の能力情報を更新したケースである。
【００２５】
前記端末の実際の能力情報が変更された後、端末に関連するパワーオン／オフ、ＳＩＭ交換（ＳＩＭ  ｓｗａｐ  ｏｆｆ）、タイムアウトなどにより端末のキャッシュが共に更新されないと、前記端末のキャッシュに保存されている前記端末の能力情報は、端末の実際の能力情報を正確に反映できない。その後、相手端末が前記端末のキャッシュから前記保存された能力情報を受信するので、前記端末の実際の能力情報は、相手端末のキャッシュに保存されている前記端末の能力情報と一致しない。すなわち、動的な変化により、前記端末の実際の能力が相手端末に通知されない。
【００２６】
従って、相手端末が後で前記端末とＣＳＩを使用しようとする場合、前記相手端末は、前記端末の能力情報が相手端末のキャッシュに保存されていることを確認した後、前記端末の能力情報を取得するためのＯＰＴＩＯＮＳメッセージ送信過程（例えば、ＯＰＴＩＯＮＳプロセス）を行わずに、無線能力交換後に直ちにＩＮＶＩＴＥメッセージを前記端末に送信する。これにより、前記相手端末は、前記端末にＰｏＣサービスを要求する。しかし、端末の能力が変更された場合（例えば、端末がＰｏＣサービスを完壁に行うことができなくなった場合）、端末は、ＰｏＣサービスを登録解除するので、前記ＰｏＣサービス要求が失敗する。その結果、前記相手端末は、前記端末の能力情報を取得するためのＯＰＴＩＯＮＳ過程を再実行しなければならない。従って、従来技術では、予め保存された端末能力情報を使用することができない。
【００２７】
また、現在の移動通信システムにおいて、１人の加入者は、多数の端末を所有することができ、１つのパブリックユーザＩＤ（ｉｄｅｎｔｉｔｙ）は、前記端末の複数のＳＩＭ（Ｓｕｂｓｃｒｉｂｅｒ  ｉｄｅｎｔｉｔｙ  ｍｏｄｕｌｅ）で同時に使用できる。すなわち、１人の加入者は、他の端末とＭＳＩＳＤＮ（Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）を共有して使用する。前記パブリックユーザＩＤのみを使用するキャッシュの場合、要求が受信されると、前記パブリックユーザＩＤを使用するため、相手の複数の端末のうちどの端末が前記要求を送信したのかを受信側端末は把握できない。従って、実際にその要求を送信した端末とコンビネーションサービス（例えば、ＣＳＩ）を正常に行うことができない。
【発明の開示】
【発明が解決しようとする課題】
【００２８】
従って、本発明の目的は、各端末がその端末能力バージョンを送信することにより、端末能力情報交換手順を簡素化し、コンビネーションサービスの接続設定中のシグナリング手順を簡素化できる、端末能力バージョンを利用したコンビネーションサービスを行うための端末又はユーザ装置（ＵＥ）、方法、及びシステムを提供することにある。
【００２９】
本発明の他の目的は、各端末の端末能力情報が変更されるたびに、各端末がその端末能力バージョンを固有の値に維持し、コンビネーションサービスの接続設定中に前記端末能力バージョンを送信することにより、相手の端末能力情報が変更されたか否かを正確に判断でき、関連端末のキャッシュ内に一貫した情報を維持させることにより、キャッシュ使用効果を向上させる、端末能力バージョンを利用したコンビネーションサービスを行うための端末／ＵＥ、方法、及びシステムを提供することにある。
【００３０】
本発明のさらに他の目的は、従来技術における限界及び問題に対処するＣＳサービス、ＳＩＰベースサービス（例えば、ＩＭＳサービスなど）、又はＣＳＩサービスを提供する端末、システム、及び方法を提供することにある。
【課題を解決するための手段】
【００３１】
このような目的を達成するために、一態様によると、２つ以上の端末間で同時に異なるサービスを行う方法において、コンビネーションサービス実行方法を提供する方法は、サービス接続要求時に端末能力バージョンを交換する段階と、受信された端末能力バージョンと保存された端末能力バージョンとを比較して端末能力情報交換手順及びサービス接続設定手順を選択的に行う段階とを含む。
【００３２】
本発明の他の態様によると、２つ以上の端末間で異なるサービスを同時に行うためのシステムにおいて、コンビネーションサービスの提供方法は、端末能力情報に基づいて端末能力バージョンを生成する段階と、サービス接続要求時に前記端末能力バージョンを送信する段階とを含む。
【００３３】
このような目的を達成するために、本発明の一態様によると、少なくとも１つの端末とコンビネーションサービスを行う装置において、端末は、少なくとも相手端末の端末能力バージョン及び端末能力情報を保存する保存ユニットと、前記サービスを接続するとき、プロセッサ自身の端末能力バージョンを前記相手端末に送信し、前記相手端末から受信した相手端末の端末能力バージョンと保存された相手端末の端末能力バージョンとを比較して端末能力情報交換手順及びサービス接続設定手順を選択的に行うプロセッサとを含む。
【００３４】
本発明の他の態様によると、２つ以上の端末間で第１サービス及び第２サービスを同時に行う方法において、コンビネーションサービス実行方法は、第１能力バージョンを前記第１サービスのための呼設定メッセージに含めて発信端末から受信（着信）端末に送信する段階と、前記発信端末が前記受信端末から第２能力バージョンを含む接続応答メッセージを受信する段階と、前記受信された第２能力バージョンが保存された前記受信端末の能力バージョンと一致すると確認された場合、前記発信端末が前記受信端末に前記第２サービスのためのセッション接続要求メッセージを送信する段階とを含む。
【００３５】
さらに他の態様によると、本発明は、ＣＳサービス、ＳＩＰベースサービス、又は前記ＣＳサービスとＩＰ  ＭＩＳとのコンビネーションであるＣＳＩサービスを提供できる端末を提供し、前記端末は、少なくともその端末能力情報に基づいて端末能力バージョンを生成し、少なくとも１つのターゲット端末に前記端末能力バージョンを送信するコントローラから構成され、前記端末能力バージョンにより前記端末の能力のバージョンが識別される。
【００３６】
さらに他の態様によると、本発明は、ＣＳサービス、ＳＩＰベースサービス、又は前記ＣＳサービスとＩＰ  ＭＩＳとのコンビネーションであるＣＳＩサービスを提供できる端末を提供し、前記端末は、ＩＭセッション設定中に又はＣＳ呼設定中に、少なくとも１つのターゲット端末に前記端末の端末能力バージョンを送信し、前記少なくとも１つのターゲット端末の端末能力バージョンを受信するコントローラから構成され、前記端末能力バージョンにより該当端末の能力のバージョンが識別される。
【００３７】
さらに他の態様によると、本発明は、ＣＳサービス、ＳＩＰベースサービス、又は前記ＣＳサービスとＩＰ  ＭＩＳとのコンビネーションであるＣＳＩサービスを提供できる端末を提供し、前記端末は、少なくとも１つのターゲット端末の端末能力バージョンを受信し、前記受信された端末能力バージョンと予め保存された前記少なくとも１つのターゲット端末の端末能力バージョンとを比較し、前記比較結果によって、前記少なくとも１つのターゲット端末の端末能力情報を要求するか否かを決定するコントローラから構成され、前記端末能力バージョンにより前記少なくとも１つのターゲット端末の能力のバージョンが識別される。
【００３８】
さらに他の態様によると、本発明は、ＣＳサービス、ＳＩＰベースサービス、又は前記ＣＳサービスとＩＰ  ＭＩＳとのコンビネーションであるＣＳＩサービスを提供できるシステムを提供し、前記システムは、サービス設定中にそれらの端末能力バージョンを交換する第１端末と第２端末から構成され、各端末能力バージョンにより該当端末の能力のバージョンが識別される。
【００３９】
さらに他の態様によると、本発明は、ＣＳサービス、ＳＩＰベースサービス、又は前記ＣＳサービスとＩＰ  ＭＩＳとのコンビネーションであるＣＳＩサービスを提供する方法を提供し、前記方法は、端末が少なくとも前記端末の端末能力情報に基づいて端末能力バージョンを生成する段階と、前記端末が少なくとも１つのターゲット端末に前記生成された端末能力バージョンを送信する段階とから構成され、前記端末能力バージョンにより前記端末の能力のバージョンが識別される。
【００４０】
さらに他の態様によると、本発明は、ＣＳサービス、ＳＩＰベースサービス、又は前記ＣＳサービスとＩＰ  ＭＩＳとのコンビネーションであるＣＳＩサービスを提供する方法を提供し、前記方法は、端末がＩＭセッション設定中に又はＣＳ呼設定中に少なくとも１つのターゲット端末に前記端末の端末能力バージョンを送信する段階と、前記端末が前記ＩＭセッション設定中に又はＣＳ呼設定中に前記少なくとも１つのターゲット端末から前記少なくとも１つのターゲット端末の端末能力バージョンを受信する段階とから構成され、前記端末能力バージョンにより該当端末の能力のバージョンが識別される。
【００４１】
さらに他の態様によると、本発明は、ＣＳサービス、ＳＩＰベースサービス、又は前記ＣＳサービスとＩＰ  ＭＩＳとのコンビネーションのＣＳＩサービスを提供する方法を提供し、前記方法は、端末が少なくとも１つのターゲット端末の端末能力バージョンを受信する段階と、前記端末が前記受信された端末能力バージョンと予め保存された前記少なくとも１つのターゲット端末の端末能力バージョンとを比較する段階と、前記端末が前記比較結果によって前記少なくとも１つのターゲット端末の端末能力情報を要求するか否かを決定する段階とから構成され、前記端末能力バージョンにより前記少なくとも１つのターゲット端末の能力のバージョンが識別される。
【００４２】
さらに他の態様によると、本発明は、ＣＳサービス、ＳＩＰベースサービス、又は前記ＣＳサービスとＩＰ  ＭＩＳとのコンビネーションであるＣＳＩサービスを提供する方法を提供し、前記方法は、第１端末及び第２端末がサービス設定中に前記第１端末の端末能力バージョンと前記第２端末の端末能力バージョンを交換する段階から構成され、前記各端末能力バージョンにより該当端末の能力のバージョンが識別される。
【００４３】
さらに他の態様によると、本発明は、ＣＳサービス、ＳＩＰベースサービス、又は前記ＣＳサービスとＩＰ  ＭＩＳとのコンビネーションであるＣＳＩサービスを提供する方法を提供し、前記方法は、以前のＣＳＩサービス中に第２端末のパブリックユーザＩＤ、前記第２端末の端末能力情報、及び前記第２端末の能力のバージョンを識別する前記第２端末の端末能力バージョンを第１端末に保存する過程と、以前のＣＳＩサービス中に前記第１端末のパブリックユーザＩＤ、前記第１端末の端末能力情報、及び前記第１端末の能力のバージョンを識別する前記第１端末の端末能力バージョンを前記第２端末に保存する過程と、前記第１端末の能力情報が動的に変更される場合、前記第１端末の端末能力情報を更新する過程と、前記第１端末が少なくとも第１端末の更新された端末能力情報に基づいて第１端末の新しい端末能力バージョンを生成する過程と、前記第１端末がＩＭＳセッション設定のためのＩＮＶＩＴＥメッセージに第１端末の新しい端末能力バージョンを含めて前記第２端末に送信する過程と、前記第２端末が前記受信された第１端末の端末能力バージョンと保存された第１端末の端末能力バージョンとを比較する過程と、前記第２端末が前記比較結果によって端末能力情報要求手順を選択的に行う過程とからなる。
【００４４】
さらに他の態様によると、本発明は、ＣＳサービス、ＳＩＰベースサービス、又は前記ＣＳサービスとＩＰ  ＭＩＳとのコンビネーションであるＣＳＩサービスを提供する方法を提供し、前記方法は、以前のＣＳＩサービス中に第２端末のパブリックユーザＩＤ、前記第２端末の端末能力情報、及び前記第２端末の能力のバージョンを識別する前記第２端末の端末能力バージョンを第１端末に保存する過程と、以前のＣＳＩサービス中に前記第１端末のパブリックユーザＩＤ、前記第１端末の端末能力情報、及び前記第１端末の能力のバージョンを識別する前記第１端末の端末能力バージョンを前記第２端末に保存する過程と、前記第１端末の能力情報が動的に変更される場合、前記第１端末の端末能力情報を更新する過程と、前記第１端末が少なくとも第１端末の更新された端末能力情報に基づいて第１端末の新しい端末能力バージョンを生成する過程と、前記第１端末が現在のＣＳＩサービスのＣＳ呼設定のために呼設定メッセージを前記第２端末に送信する過程と、前記第２端末が前記呼設定メッセージに対する応答として前記第２端末の現在の端末能力バージョンを含む呼接続メッセージを前記第１端末に送信する過程と、前記第１端末が前記受信された呼接続メッセージに含まれる前記第２端末の端末能力バージョンと前記保存された第２端末の端末能力バージョンとを比較した結果に基づいて端末能力情報要求手順を選択的に行う過程と、前記第１端末がＩＮＶＩＴＥメッセージに前記ＩＮＶＩＴＥメッセージ及び／又は前記送信された呼設定メッセージに含まれる前記第１端末の新しい端末能力バージョンを含めて第２端末に送信する過程と、前記第１端末が前記受信された呼接続メッセージ及び／又はＩＮＶＩＴＥメッセージに含まれる前記第１端末の端末能力バージョンと前記保存された第１端末の端末能力バージョンとを比較した結果に基づいて端末能力情報要求手順を選択的に行う過程とからなる。
【００４５】
本発明の他の目的、特徴、態様、及び利点は、添付図面及び以下の詳細な説明から明白になる。
【発明の効果】
【００４６】
本発明では、各端末の端末能力情報が変更される度に、更新された端末能力情報に該当する固有の端末能力バージョンを生成して維持し、前記端末能力バージョンを含むサービス接続設定メッセージを送信する。従って、発信側端末と受信（着信）側端末は、それぞれ保存された相手端末の端末能力情報と受信された相手端末の端末能力情報とを比較して相手端末の端末能力情報が変更されたか否かを効果的に判断できる。
【００４７】
また、本発明では、前記受信された相手端末の端末能力バージョンに基づいて端末能力情報の変更が確認された場合、１つの端末は、端末能力情報が変更された相手端末に変更された端末能力情報を要求して前記要求された情報を受信し、前記１つの端末のローカル保存ユニットに一貫した情報を維持させることができ、端末能力情報交換手順のために行われるシグナリング過程を減らすことができる。
【００４８】
また、本発明では、他方の端末の端末能力情報が変更されたか否かを確認し、前記確認結果によって端末能力情報交換手順及びサービス接続設定手順の一方を選択的に行うことにより、サービス接続設定のためのシグナリングを単純化できる。
【００４９】
本発明では、１人のユーザが同一のパブリックユーザＩＤを使用する多数の端末を所有し、受信側端末の呼転送機能（ｃａｌｌ  ｆｏｒｗａｒｄ  ｆｕｎｃｔｉｏｎ）を登録している場合も、発信側端末及び受信側端末がそれぞれ相手端末の端末能力情報が変更されたか否かを確認できるので、端末保存ユニットに保存された不正確な又は古い情報の使用及び依存を低減させる。
【発明を実施するための最良の形態】
【００５０】
以下、本発明の実施形態について、添付図面を参照して詳細に説明する。
【００５１】
以下、本発明の好ましい実施形態による端末能力バージョンを利用したコンビネーションサービス提供のための端末、方法、及びシステムについて、添付図面を参照して説明する。
【００５２】
本発明の記述において、端末の「能力バージョン」（又は、端末能力バージョン）という用語は、前記端末の能力（能力情報）のバージョンを識別する識別情報を意味する。例えば、端末能力バージョンは、端末が持つ能力の現在のバージョン（セット）を識別する固有の値である。
【００５３】
本発明において、少なくとも端末の現在の能力情報は、固有の端末能力バージョンを生成するために用いられる。少なくとも２つの端末間にコンビネーションサービス接続を設定すると、前記端末は、ＳＩＰシグナリングメッセージを使用して他方の端末に前記端末の能力バージョンを送信するか、呼設定中に現在の無線能力環境情報を送信するときに前記他方の端末に前記端末の能力バージョンを送信することができる。
【００５４】
これにより、第１端末は、予め保存された第２端末の能力バージョンと現在受信された第２端末の能力バージョンとを比較し、前記第２端末の端末能力情報が更新されたか否かを判断することにより、端末能力情報交換手順及びサービス接続設定手順を選択的に行う。例えば、能力バージョンの比較の結果、前記第２端末の端末能力情報が変更された場合、前記第１端末が前記第２端末から前記第２端末の更新された端末能力情報を取得するために端末能力情報要求／交換手順を行う。その結果、第１端末は、前記第１端末が前記第２端末の端末能力情報が変更／更新されたと判断した場合にのみ、前記第２端末の端末能力情報を要求する。
【００５５】
以下、本発明による各端末の端末能力情報を説明する。前記端末能力情報（例えば、能力セット又は複数の能力のセット）は、次のアイテムのうち少なくとも１つを含む。
【００５６】
＊スクリーン能力（Ｓｃｒｅｅｎ  ｃａｐａｂｉｌｉｔｉｅｓ）、色相（Ｃｏｌｏｕｒｓ）、解像度（ｒｅｓｏｌｕｔｉｏｎ）、サイズなど
＊メモリ／保存容量（Ｍｅｍｏｒｙ／ｓｔｏｒａｇｅ  ｃａｐａｃｉｔｙ）（ビデオ／音楽／電子メール添付などのダウンロードのための）
＊ビデオ及び静止画像のストリーム／ダウンロード能力（Ｃａｐａｂｉｌｉｔｙ  ｔｏ  ｓｔｒｅａｍ  ／  ｄｏｗｎｌｏａｄ  ｖｉｄｅｏ  ａｎｄ  ｓｔｉｌｌ  ｉｍａｇｅｓ）
＊コーデックタイプ（Ｃｏｄｅｃ  ｔｙｐｅｓ）（ＥＦＲ、ＡＭＲ、ＭＰＥＧ４、Ｈ．２６４、ＭＰ３など）
＊デバイスソフトウェア／ファームウエア配布／バージョン（Ｄｅｖｉｃｅ  ｓｏｆｔｗａｒｅ／ｆｉｒｍｗａｒｅ  ｒｅｌｅａｓｅ／ｖｅｒｓｉｏｎ）
＊日程表保存能力（Ｃａｌｅｎｄａｒ  ｓｔｏｒａｇｅ  ｃａｐａｃｉｔｙ）
＊連絡先保存能力（Ｃｏｎｔａｃｔｓ  ｓｔｏｒａｇｅ  ｃａｐａｃｉｔｙ）
＊メモ保存能力（Ｎｏｔｅｓ  ｓｔｏｒａｇｅ  ｃａｐａｃｉｔｙ）
＊デバイス（端末）の運営システム（Ｏｐｅｒａｔｉｎｇ  Ｓｙｓｔｅｍ  ｏｆ  ｄｅｖｉｃｅｓ（ｔｅｒｍｉｎａｌｓ））
＊ブラウザタイプ（Ｂｒｏｗｓｅｒ  ｔｙｐｅｓ）（ＷＡＰ  １．２／２．０、ＨＴＭＬなど）
＊ＭＥｘＥ（Ｍｏｂｉｌｅ  Ｅｘｅｃｕｔｉｏｎ  Ｅｎｖｉｒｏｎｍｅｎｔ）階級値（ｃｌａｓｓｍａｒｋ）
＊ＵＳＩＭアプリケーションツールキット能力（Ａｐｐｌｉｃａｔｉｏｎ  Ｔｏｏｌｋｉｔ  ｃａｐａｂｉｌｉｔｉｅｓ）（配布／バージョン）
＊データ伝送速度能力（Ｄａｔａ  ｒａｔｅ  ｃａｐａｂｉｌｉｔｙ）
＊ＳＩＰ呼制御プロトコル（ＳＩＰ  ｃａｌｌ  ｃｏｎｔｒｏｌ  ｐｒｏｔｏｃｏｌ）
＊サポートされる同時ＰＤＰコンテキストの数（Ｎｕｍｂｅｒ  ｏｆ  ｓｉｍｕｌｔａｎｅｏｕｓ  ＰＤＰ  ｃｏｎｔｅｘｔｓ  ｓｕｐｐｏｒｔｅｄ）
＊サポートされるＡＰＮの数（Ｎｕｍｂｅｒ  ｏｆ  ＡＰＮ’ｓ  ｓｕｐｐｏｒｔｅｄ）
本発明において、このような端末の端末能力情報は、単独で又は他の多様な情報と共に固有の端末能力バージョンを生成するために用いられる。例えば、端末は、前記端末能力バージョンを生成するためにその端末能力情報のみを利用できる。他の例では、前記端末は、固有の端末能力バージョンを生成するために、その端末能力情報、端末に関連するプライベートユーザＩＤ、及び端末に関連するパブリックユーザＩＤを利用できる。従って、１人のユーザが複数の端末を利用し、前記複数の端末が同一のパブリックユーザＩＤを使用する場合、各端末の該当端末能力バージョンに基づいて同一のパブリックユーザＩＤを利用して各端末の端末能力情報を正確に区別できる。さらに他の例では、前記端末は、前記固有の端末能力バージョンを生成するために、その端末能力情報及び端末に関連するパブリックユーザＩＤを利用できる。
【００５７】
本発明によれば、少なくとも前記端末能力情報に基づいて固有の端末能力バージョンを生成するために、前記端末は、ハッシュ関数を使用するか、他の方法を使用することができる。
【００５８】
また、前記端末能力バージョンは、前記端末能力情報（例えば、能力セット）に応じて１バイト（又は、他のデータサイズ）の固有の値を有することができる。前記端末能力バージョンは、１バイトの値を有するとき、２５６個の端末能力情報の表現が可能になる。表現可能な端末能力バージョンの数は、アプリケーションプログラムの特性に応じて拡張又は減少できる。
【００５９】
前記端末能力バージョンの固有の値は、ビット形式又は桁形式で表現できる。前記端末能力バージョンは、ＵＣＶ−ＸＸ（ＵＥ  ｃａｐａｂｉｌｉｔｙ  ｖｅｒｓｉｏｎ−Ｘ）形式の固有の値を有することもできる。ここで、前記「ＸＸ」は、表１に示すように、２桁１６進数である。前記「ＸＸ」は、「００」から１６進数「ＦＦ」までの範囲に属する値を有する。前記ＵＶＣ−ＸＸ形式を有する端末能力バージョンは、端末能力情報に基づいてＣＵＶ（ＣＳＩ  ｕｓｅｒ  ａｇｅｎｔ）により生成される。前記１６進数「ＸＸ」は、端末（例えば、ＵＥ）能力バージョン情報エレメントでコーディングされる。
【００６０】
【表１】
2008546347.tif 000003
各端末（ＵＥ）は、端末に関連する保存ユニットに少なくともその端末能力情報に応じて端末固有の端末能力バージョンを保存し、他方の端末の端末能力バージョンも保存する。図３は、本発明による端末能力バージョンを保存する保存ユニットを備えた端末１００又は２００を示す。前記保存ユニットは、メモリもしくはキャッシュ１６０、又はＵＳＩＭ（Ｕｎｉｖｅｒｓａｌ  Ｓｕｂｓｃｒｉｂｅｒ  Ｉｄｅｎｔｉｔｙ）１７０でもよい。前記端末の内蔵保存ユニット及び／又は外付け／着脱保存ユニットは、全て他方の端末の能力バージョンだけでなく前記端末の現在の能力バージョンを保存することができる。各端末は、コントローラ／プロセッサ１５０、及びユーザ入力部、ディスプレイ部、オーディオ部、ネットワークインターフェースなどの従来の端末における公知の他の構成要素も含むことができる。
【００６１】
一方、各端末の端末能力情報は、動的に更新される。例えば、多様な装置（例えば、カメラなど）が動的に前記端末に取り付けられたか、前記端末から取り外されたとき、前記端末がＩＰ  ＩＭＳ装置に登録されたか、その装置から登録が解除されたとき、又は、前記端末が新しいコーデックをダウンロードするためにダウンロードサービスを利用するとき、前記端末の端末能力情報は更新される。本発明は、端末が端末の能力（能力情報）を変更／更新するいずれの状況もカバーできる。このような全ての状況において、前記端末は、その端末能力情報が更新（変更）される度に固有の端末能力バージョンを生成し、前記生成された新しい端末能力バージョンは端末の現在の端末能力バージョンとして端末の保存ユニットに保存される。
【００６２】
図４は、本発明による少なくとも現在の端末能力情報に基づいて固有の端末能力バージョンを生成する方法の他の例を示す図である。この方法は、端末（例えば、図３及び図５〜図７に示す端末１００、２００）により実行できる。
【００６３】
図４に示すように、各端末の固有の端末能力バージョンを生成するためには、公知のハッシュ関数を使用することができる。ハッシュ関数を使用する場合、端末は、更新された端末能力情報のみをハッシュ関数に入力して固有の端末能力バージョンを生成する。他の例では、端末は、前記更新された端末能力情報と共にプライベートユーザＩＤ及び／又はパブリックユーザＩＤをハッシュ関数に入力して固有の端末能力バージョンを生成できる。例えば、次の（ａ）又は（ｂ）によりハッシュ又は他の暗号化関数を利用して固有の端末能力バージョンを生成できる。（ａ）端末の端末能力情報、端末に関連するパブリックユーザＩＤ、及び端末に関連するプライベートユーザＩＤ、又は（ｂ）端末の端末能力情報及び端末に関連するパブリックユーザＩＤ。
【００６４】
図４の例１において、端末の現在の端末能力情報（すなわち、第１端末能力情報）が２５６カラーと６４０×４８６の解像度を有するスクリーン能力、２５６ＭＢのメモリと、ＥＦＲ（Ｅｎｈａｎｃｅｄ  Ｆｕｌｌ  Ｒａｔｅ）、ＡＭＲ（Ａｄａｐｔｉｖｅ  Ｍｕｌｔｉ−Ｒａｔｅ）、ＭＰＥＧ４（Ｍｏｔｉｏｎ  Ｐｉｃｔｕｒｅ  Ｅｘｐｅｒｔｓ  Ｇｒｏｕｐ  ４）、Ｈ．２６４を含むコーデックタイプ、及びＷＡＰ１．２ブラウザタイプを含む能力セット（ｃａｐａｂｉｌｉｔｙ  ｓｅｔ）である場合、前記端末は、前記第１端末能力情報をハッシュ関数に入力して固有の値を有する第１端末能力バージョンを生成する。図４に示すように、前記第１端末能力バージョンは、例えば「０１００  １０００」である。
【００６５】
図４の例２において、カメラが前記端末に取り付けられて端末の能力が変更された場合、前記端末は、カメラ機能が追加された現在の端末能力情報（すなわち、第２端末能力情報）をハッシュ関数に入力して固有の値を有する第２端末能力バージョンを生成する。ここで、前記生成された第２端末能力バージョンは、例えば、「１０１１  １００１」である。
【００６６】
図４の例３において、端末のブラウザタイプがＷＡＰ２．０に更新された場合、前記端末は、ブラウザタイプが更新された現在の端末能力情報（すなわち、第３端末能力情報）を利用して固有の値を有する第３端末能力バージョンを生成する。前記第３端末能力バージョンは、例えば「０１０１  １０００」である。
【００６７】
前述したように、前記端末の端末能力情報が動的に変更された場合、前記端末は、少なくとも前記変更された端末能力情報に基づいてその端末能力バージョンが新しい固有の値を有するように変更する。従って、前記端末の端末能力バージョンが変更されたか否かによって、前記端末の端末能力情報が変更されたか否かを容易に確認できる。
【００６８】
本発明において、ＳＩＰシグナリングメッセージ（例えば、ＯＰＴＩＯＮＳメッセージ、ＩＮＶＩＴＥメッセージなど）を利用した端末の端末能力情報の交換時、又は、呼設定（例えば、呼設定メッセージ）中の現在の無線能力環境情報の交換時、各端末は、その端末能力バージョンを他方の端末に送信する。前記他方の端末の端末能力バージョンは、交換された端末能力情報及び該当端末に関連するパブリックユーザＩＤと共に各端末に保存される。
【００６９】
その後、ＣＳＩを含むコンビネーションサービスのためのサービス接続の設定時（これに限定されない）、比較の結果、端末Ａに保存されている端末Ｂの端末能力バージョン値が前記端末Ａが現在受信した端末Ｂの端末能力バージョン値と異なる場合、前記端末Ａは、前記保存された端末Ｂの端末能力バージョンを更新する必要があることを端末Ｂに通知し、また、端末Ｂの現在の能力情報を要求する。端末Ａの保存ユニット（例えば、ＳＩＭ又はＵＳＩＭ）が交替されたか、端末Ｂの端末能力情報が動的に変更されたケースなどに、前記端末Ａに保存されている前記端末Ｂの端末能力バージョン値は、前記端末Ａが現在受信した端末Ｂの端末能力情報と異なる可能性がある。
【００７０】
これに対して、端末能力情報を保存する端末の保存ユニットの一貫性を維持する方法として、本発明は、端末の端末能力情報が動的に変更された場合、前記変更された内容がＬＢＳのような方法により前記端末の保存ユニットに保存されているパブリックユーザＩＤと共に他方の端末に送信される方法を提供する。
【００７１】
図５は、本発明の第１実施形態による端末能力バージョンを利用したコンビネーションサービス実行方法を示す。図５の方法は、前述したように、固有の端末能力バージョンを生成する方法を含む。図５の方法は、図１及び図３のシステム及び装置、又は他の類似したもしくは適した装置／システムで実現できる。端末１００又は２００が行う過程は、前記端末１００又は２００のコントローラ１５０により実行及び／又は制御できる。
【００７２】
図５に示すように、少なくとも第１サービス及び第２サービスを含むコンビネーションサービスを行うために、端末能力バージョンを利用したコンビネーションサービス実行のためのシステムは、第１サービスのための接続実行時、互いに端末能力バージョンを交換する第１端末１００及び第２端末２００を含む。各端末は、受信された他方の端末の端末能力バージョンと保存された前記他方の端末の端末能力バージョンとを比較し、２つの端末能力バージョンが一致しない場合、前記端末に更新された端末能力情報を要求して受信する。
【００７３】
前記システムは、前記第１端末１００及び第２端末２００に前記第１サービスを提供するための第１サービスネットワークと、前記第１端末１００及び第２端末２００に前記第２サービスを提供するための第２サービスネットワークをさらに含む。前記第１サービスがＩＭＳサービスのようなＳＩＰベースサービスである場合、前記第１サービスネットワークは、前記第１端末１００に前記ＩＭＳサービスを提供する第１ＩＭＳコアネットワーク４１０と、前記第２端末２００に前記ＩＭＳサービスを提供する第２ＩＭＳコアネットワーク４２０とを含む。前記第２サービスがＣＳサービスである場合、前記第２サービスネットワークは、前記第１端末１００に前記ＣＳサービスを提供する第１ＣＳコアネットワーク（例えば、図１の３１）と、前記第２端末２００に前記ＣＳサービスを提供する第２コアネットワーク（例えば、図１の３２）とを含む。前記システムは、第１ＰＳコアネットワーク及び第２ＰＳコアネットワーク、第１ｘＲＡＮ及び第２ｘＲＡＮ、第１ＡＳ及び第２ＡＳなどの他の構成要素も含む。前記システムの全ての構成要素は、互いに効率的に結合及び／又は構成されている。
【００７４】
各端末１００、２００の保存ユニット１６０、１７０は、前記各端末の端末能力バージョン及び端末能力情報、他方の端末の端末能力バージョン及び端末能力情報（例えば、他方の端末との以前のサービス接続により取得したもの）、前記各端末のパブリックユーザＩＤ、並びに相手のパブリックユーザＩＤを保存する。各端末１００、２００のコントローラ／プロセッサ１５０は、前記第１サービスのために接続するとき、相手／相手端末に前記各端末の端末能力バージョンを送信し、前記相手から受信した相手の端末能力バージョンと前記各端末の保存ユニットに保存されている前記相手の端末能力バージョンとを比較し、前記比較結果によって、端末能力交換手順及びサービス接続設定手順を選択的に行う。
【００７５】
図５を参照して、本発明の第１実施形態による端末能力バージョンを利用したコンビネーションサービス実行方法について説明する。図５は、ＩＭＳセッションが先に設定された後、コンビネーションサービス接続、すなわち、ＣＳＩ接続を設定するときにＣＳ呼が設定される方法の例を示す。この方法は、ＩＭＳセッションだけを設定するとき、すなわち、ＩＭＳセッションが設定された後にいずれのＣＳ呼も設定されない場合も適用できる。
【００７６】
図５に示すように、第１端末１００及び第２端末２００は、コンビネーションサービス（例えば、現在のＣＳＩサービス接続）を利用して互いに端末能力情報を交換した後、前記交換された端末能力情報を、例えば、それぞれの端末のキャッシュに保存する。前記第１端末１００及び第２端末２００は、それぞれの端末の保存ユニットに少なくとも（他方の端末に関連する）相手のパブリックユーザＩＤ、前記他方の端末の端末能力バージョン、及び前記他方の端末の端末能力情報を保存する（Ｓ５１）。各端末の端末能力バージョンは、前述したように、少なくとも前記端末の能力情報に基づいて計算される。前記端末能力情報は、例えば、サポートできるコーデック、ファイル形式などを含む。また、前記第１端末１００及び第２端末２００は、それぞれそのパブリックユーザＩＤ、その端末能力バージョン（値）、その端末能力情報などを保存する。一例として、段階Ｓ５１で、前記第１端末及び第２端末の現在の能力バージョンは、Ｖ．０．１２及びＶ．３．３である。
【００７７】
前記第１端末１００及び第２端末２００は、ＣＳＩサービスのための現在のセッション／接続を利用してデータ交換及び音声交換を行う。その後、前記第１端末１００と第２端末２００間の現在のＣＳＩセッション／接続は解除される（Ｓ５２）。ここで、前記第１端末１００は、前記第２端末２００のパブリックユーザＩＤ、前記第２端末２００の端末能力バージョン、及び前記第２端末２００の端末能力情報を保存でき、全ての前記情報は、ＣＳＩ設定手順中に交換されたものである。前記第１端末１００は、第１端末１００の端末能力バージョンも保存する。前記第２端末２００は、同一方法を利用して前記第１端末１００の端末能力情報に関連する情報を保存できる。前記第１端末１００に保存されている情報は、前記第１端末１００が後で前記第２端末２００と他のＣＳＩサービスを行うときに用いられる。
【００７８】
その後、各端末の端末能力情報、例えば、前記第１端末１００の端末能力情報は、様々な理由によって変更される。例えば、ＩＭＳサービス（例えば、ＰｏＣ（Ｐｕｓｈ−ｔｏ−ｔａｌｋ  Ｏｖｅｒ  Ｃｅｌｌｕｌａｒ）、ＩＭ、ブロードキャスティングなど）が登録されたか、登録が解除された場合、マルチメディア装置（例えば、カメラなど）が前記第１端末１００に動的に取り付けられたか、前記第１端末１００から取り外された場合、新しいコーデックやサポートできるファイル形式を修正するためにダウンロードサービスを使用した場合、又は、ＭＭＳ（Ｍｕｌｔｉｍｅｄｉａ  Ｍｅｓｓａｇｅ  Ｓｅｒｖｉｃｅ）のバージョンが更新された場合に、前記第１端末１００の端末能力情報が変更される（Ｓ５３）。
【００７９】
前記第１端末１００の端末能力情報が変更されると、前記第１端末１００は、例えば、少なくとも第１端末１００の更新された端末能力情報に基づいてその端末能力バージョンを変更する（Ｓ５４）。その結果、前記第１端末１００の現在の端末能力バージョンが前記第２端末２００に保存されている第１端末１００の端末能力バージョンと一致しなくなる。例えば、前記第１端末１００の端末能力バージョンが前記第１端末１００の端末能力情報の変更によりＶ．０．１２からＶ．１．１２に変更されたので、前記第１端末１００の現在の端末能力バージョンは、前記第２端末２００に保存されている前記第１端末１００の端末能力バージョン（すなわち、Ｖ．０．１２）とは一致しなくなる（Ｓ５５）。
【００８０】
その後、前記第１端末１００が前記第２端末２００とＣＳＩサービスを行おうとする場合、前記第１端末１００は、ＩＭＳサービスのためのセッション接続を試みる。ここで、前記第１端末１００は、第１端末１００が予め前記第２端末２００に関する情報を保存していると確認した後、端末能力情報を交換せずにＩＮＶＩＴＥメッセージを送信して直ちにＩＭＳセッション設定を行う。前記ＩＮＶＩＴＥメッセージは、前記第１端末１００の現在の端末能力バージョン（すなわち、Ｖ．１．１２）を含む。前記第１端末１００は、第１端末１００が保存している第２端末２００の情報を参照して前記ＩＮＶＩＴＥメッセージを生成した後、前記生成されたＩＮＶＩＴＥメッセージを前記第２端末２００に送信する。前記第１端末１００に保存されている第２端末２００の情報は、少なくとも前記第２端末２００のパブリックユーザＩＤ及び端末能力情報を含む。
【００８１】
前記ＩＮＶＩＴＥメッセージは、第１ＩＭＳコアネットワーク４１０及び第２  ＩＭＳコアネットワーク４２０を介して前記第１端末１００から前記第２端末２００に送信される（Ｓ５６）。
【００８２】
前記第２端末２００は、前記受信されたＩＮＶＩＴＥメッセージに含まれている前記第１端末１００の端末能力バージョンを取得する。前記第２端末２００は、前記受信された第１端末１００の端末能力バージョン（例えば、Ｖ．１．１２）と第２端末２００が保存している前記第１端末１００の端末能力バージョン（例えば、Ｖ．０．１２）とを比較する。前記第２端末２００は、前記比較結果によって、端末能力情報交換手順及びＩＭＳセッション接続要求に対する応答送信手順のうち１つを選択して行う（Ｓ５７）。
【００８３】
例えば、前記受信された第１端末１００の端末能力バージョンが予め保存された第１端末１００の端末能力バージョンと一致する場合、前記第２端末２００は、前記第１端末の現在の端末能力情報が以前のＣＳＩサービスを行った後に変更されなかったと判断し、前記ＩＮＶＩＴＥメッセージに対する応答として２００  ＯＫメッセージを送信する。しかし、前記受信された第１端末１００の端末能力バージョンが予め保存された第１端末１００の端末能力バージョンと一致しない場合、前記第２端末２００は、前記第１端末１００の現在の端末能力情報が以前のＣＳＩサービスを行った後に変更されたと判断し、前記第１端末１００の現在の端末能力バージョンを取得するための端末能力情報交換手順を行う。すなわち、前記第２端末２００は、前記第１端末１００にＯＰＴＩＯＮＳ要求メッセージ（ＳＩＰメッセージ）を送信して前記第１端末１００の変更された端末能力情報を要求する。前記ＯＰＴＩＯＮＳ要求メッセージは、前記第２端末２００の現在の端末能力バージョンを含む。前記ＯＰＴＩＯＮＳ要求メッセージは、前記第１ＩＭＳコアネットワーク４１０及び第２ＩＭＳコアネットワーク４２０を介して前記第２端末２００から前記第１端末１００に送信される（Ｓ５８）。
【００８４】
前記ＯＰＴＩＯＮＳ要求メッセージを受信した前記第１端末１００は、前記第２端末２００に第１端末１００の端末能力情報を送信する。前記第２端末２００は、前記新しく変更された第１端末１００の端末能力情報を保存する。これにより、それぞれ前記第１端末１００及び第２端末２００は、他方の端末の現在の端末能力情報及び現在の端末能力バージョンを取得して保存する。
【００８５】
その後、必要な場合、前記第１端末１００と第２端末２００は、第１ＣＳコアネットワーク及び第２ＣＳコアネットワークを介してＣＳ呼設定手順を行ってＣＳＩサービスを行うことができる。前記ＣＳＩサービスのためのＣＳ呼設定手順は公知である。
【００８６】
従って、端末の端末能力情報が変更される度に、前記端末能力バージョンは、固有の値に維持でき、１つ以上の相手に送信できる。これにより、各端末の端末能力情報が変更されたか否かを判断でき、前記判断によって、前記端末能力情報が変更された場合は、その変更された端末能力情報を要求できるので、各端末の保存ユニットを安定して使用できる。従って、本発明は、ＣＳＩのようなコンビネーションサービスのために端末能力情報を交換する効果的かつ効率的なシステム及び方法を提供する。
【００８７】
図６は、本発明の第２実施形態による端末能力バージョンを利用したコンビネーションサービス提供方法を示す図である。図６の方法は、前述したように、固有の端末能力バージョンを生成する方法を含む。図６の方法は、図１及び図３のシステム及び装置、又は他の類似したもしくは適した装置／システムで実現できる。端末１００又は２００が行う過程は、前記端末１００又は２００のコントローラ１５０により実行及び／又は制御できる。
【００８８】
図６に示すように、本発明による端末能力バージョンを利用したコンビネーションサービスを行うためのシステムは、第１端末１００及び第２端末２００と、第１ＩＭＳコアネットワーク４１０及び第２ＩＭＳコアネットワーク４２０と、第１ＣＳコアネットワーク３１０及び第２ＣＳコアネットワーク３２０とを含む。図６は、コンビネーションサービスがＣＳＩサービスである場合、ＣＳ呼を先に設定した後、ＩＭＳセッションを設定するコンビネーションサービスを行う方法を示す。
【００８９】
段階Ｓ６１は、図５のＳ５２及びＳ５２で利用された方法と同一方法で実行される。前記第１端末１００と前記第２端末２００間でＣＳＩサービスが完了すると、各端末のパブリックユーザＩＤ、端末能力情報、及び端末能力バージョンは、前記第１端末１００と前記第２端末２００の相手端末に保存される（Ｓ６１）。すなわち、段階Ｓ６１は、図５のＳ５１及びＳ５２と同一又は類似する。
【００９０】
一例として、前記第１端末１００に次のような情報が保存されていると仮定する。
【００９１】
第２端末；ｂｏｂｓ＠ｌｇｅ．ｃｏｍ；ｔｅｘｔ−ａｕｄｉｏ−ｖｉｄｅｏ−ｍｐｅｇ−ｔｙｐｅｏｆｃｏｄｅｃ−ｅｔｃ；ｖ．３．３
ここで、前記第２端末２００のパブリックユーザＩＤ、例えば、ＵＲＩは、ｂｏｂｓ＠ｌｇｅ．ｃｏｍであり、前記第２端末２００のサポート可能な端末能力情報は、ｔｅｘｔ、ａｕｄｉｏ、ｖｉｄｅｏ、ｍｐｅｇ、及び多様なコーデックであり、前記第２端末２００の現在の端末能力バージョンはＶ．３．３である。
【００９２】
その後、それぞれの前記第１端末１００及び第２端末２００は、ＩＭＳサービスの登録及び登録解除の場合、又は、マルチメディア装置の取り付け及び取り外しの場合、動的にそれらの端末能力情報を変更できる。一例として、前記第１端末１００の端末能力情報が変更された場合について説明する。
【００９３】
前記第１端末１００の端末能力情報が変更されると、前記第１端末１００は、少なくとも前記変更された端末能力情報を利用して（パブリックユーザＩＤ及び／又はプライベートユーザＩＤのような追加情報を共に利用しても利用しなくてもよい）固有の値を有する新しい端末能力バージョンを生成する（Ｓ６２及びＳ６３）。一例として、前記第１端末１００の以前の端末能力バージョンはＶ．０．１２であったが、前記新しく生成（変更）された端末能力バージョンはＶ．１．１２である。
【００９４】
その後、前記第端末１００が先にＣＳ呼を設定して前記第２端末２００とＣＳＩサービスを行おうとする場合、前記第１端末１００は、ＣＳ呼設定メッセージ（例えば、ＳＥＴＵＰメッセージ）を前記第２端末２００に送信する（Ｓ６４）。前記ＣＳ呼設定メッセージは、少なくとも前記第１端末１００の端末能力バージョンを含む。例えば、Ｖ．１．１２の前記第１端末の現在の端末能力バージョン（値）が前記呼設定メッセージに含まれる。前記呼設定メッセージは、前記第１ＣＳコアネットワーク３１０及び第２ＣＳコアネットワーク３２０を介して前記第１端末１００から前記第２端末２００に送信される。
【００９５】
前記第２端末２００は、前記呼設定メッセージに対する応答として前記第１端末１００に接続メッセージ（ＣＯＮＮＥＣＴ）を送信する（Ｓ６５）。前記接続メッセージ（ＣＯＮＮＥＣＴ）は、少なくとも前記第２端末２００の端末能力バージョン（例えば、Ｖ．３．３）を含む。前記接続メッセージ（ＣＯＮＮＥＣＴ）は、前記第１コアネットワーク３１０及び第２コアネットワーク３２０を介して前記第２端末から前記第１端末１００に送信される。
【００９６】
前記ＣＳ呼設定が完了した後、ＣＳＩサービスのためのＩＭＳセッションを設定するために、前記第１端末１００は、予め保存された前記第２端末２００の端末能力バージョン（例えば、Ｖ．３．３）とＣＳ呼設定時に受信した第２端末２００の端末能力バージョン（例えば、Ｖ．３．３）とを比較する（Ｓ６６）。前記比較結果によって、前記第１端末１００は、端末能力情報交換手順を選択して行うか、またはＩＭＳセッション設定手順を直ちに行う。
【００９７】
例えば、段階Ｓ６６で、予め保存された第２端末２００の端末能力バージョンが前記受信された第２端末２００の端末能力バージョンと一致しないと、前記第１端末１００は、前記第２端末２００の端末能力情報が以前のＣＳＩサービスが行われたときに変更されたと判断する。これにより、前記第１端末は、端末能力情報交換／送信手順を行う。ここで、前記第１端末１００は、前記第２端末２００に前記第２端末２００の変更された端末能力情報を要求して受信するために、ＳＩＰのＯＰＴＩＯＮＳ要求メッセージを送信する（図６には示していないが、図２のＯＰＴＩＯＮＳ手順と類似している）。
【００９８】
しかし、段階Ｓ６６で、予め保存された第２端末２００の端末能力バージョンが前記受信された第２端末２００の端末能力バージョンと一致すると、前記第１端末１００は、前記第２端末２００の現在の端末能力情報が以前のＣＳＩサービスを行うときの第２端末２００の端末能力情報と一致していると判断する。すなわち、前記第２端末２００の端末能力情報には変更がない。従って、前記第１端末１００は、前記第２端末２００の端末能力情報交換のためにＯＰＴＩＯＮＳ要求メッセージを送信することなく、代りに、前記第２端末２００とのＩＭＳセッション設定を要求するためにＩＮＶＩＴＥメッセージを送信する（Ｓ６７）。ここで、前記ＩＮＶＩＴＥメッセージは、少なくとも前記第１端末１００の端末能力バージョンを含むことができる。ここで、前記第１端末１００の端末能力バージョンは、例えばＶ．１．１２である。前記ＩＮＶＩＴＥメッセージは、前記第１ＩＭＳコアネットワーク４１０及び第２ＩＭＳコアネットワーク４２０を介して前記第２端末２００に送信される。
【００９９】
前記第２端末２００は、前記ＩＮＶＩＴＥメッセージを利用して受信された前記第１端末１００の端末能力バージョンと以前に予め保存された前記第１端末１００の端末能力情報とを比較する（Ｓ６８）。前記比較結果によって、前記第２端末２００は、端末能力情報交換手順及びＩＭＳセッション接続手順の１つを選択して行う。例えば、前記第２端末２００は、前記第１端末１００に、前記第１端末１００の端末能力情報要求を送信するか、前記ＩＭＳセッション接続要求に対する応答を送信する。
【０１００】
すなわち、段階Ｓ６８で、前記受信された第１端末１００の端末能力バージョンが前記保存された第１端末１００の端末能力バージョンと一致すると、前記第２端末２００は、前記第１端末１００の現在の端末能力情報が以前のＣＳＩサービスからの端末能力情報と一致すると判断し、前記ＩＮＶＩＴＥメッセージに対する応答として前記第１端末１００に２００  ＯＫメッセージを送信する（図６には示していないが、図２の図示と類似している）。
【０１０１】
しかし、段階Ｓ６８で、前記受信された第１端末１００の端末能力バージョンが前記保存された第１端末１００の端末能力バージョンと一致しないと、例えば、前記受信された端末能力バージョンはＶ．１．１２であり、保存された端末能力バージョンはＶ．０．１２である場合、前記第２端末２００は、前記第１端末１００の現在の端末能力情報が以前のＣＳＩサービスからの端末能力情報と異なると判断する。つまり、前記第２端末２００は、前記第１端末１００の端末能力情報が変更されたと判断する。これにより、前記第２端末２００は、前記第１端末１００にＯＰＴＩＯＮＳ要求メッセージを送信して前記変更された第１端末１００の端末能力情報を要求する（Ｓ６９）。前記ＯＰＴＩＯＮＳ要求メッセージは、前記第２端末２００の端末能力バージョンを含む。
【０１０２】
前記ＯＰＴＩＯＮＳ要求メッセージを受信した前記第１端末１００がＯＰＴＩＯＮＳ応答メッセージを利用して前記第２端末２００に第１端末１００の変更された端末能力情報を送信することにより、前記第２端末２００はＣＳＩサービスのために前記第１端末１００の現在の端末能力情報を取得できる。
【０１０３】
これにより、前記第２端末２００は、前記変更された第１端末１００の端末能力情報に対応する第１端末１００の能力バージョンだけでなく前記変更された第１端末１００の端末能力情報をも保存する。従って、本発明は、前記第１端末１００の現在の端末能力情報と第２端末２００に保存されている第１端末１００の端末能力情報間の一貫性を維持できる。
【０１０４】
その後、公知のＩＭＳセッション設定手順により前記第１端末１００と第２端末２００間にＩＭＳセッションが設定されて実際のデータ（メディア）が交換される（Ｓ７０）。
【０１０５】
段階Ｓ６４で、前記第２端末２００へのＣＳ呼設定メッセージが前記第１端末１００の端末能力バージョンを含む場合、前記第２端末２００は、前記受信された能力バージョンと保存されている第１端末１００の能力バージョンとを比較し、能力情報交換手順を行うか（前記バージョンが相異なる場合）、ＩＭＳセッション設定手順を直ちに行う（前記バージョンが一致する場合）。
【０１０６】
従って、それぞれの前記第１端末１００及び第２端末２００は、少なくとも相手端末の現在の端末能力情報に基づいて生成された相手端末の固有の端末能力バージョンを利用する。これにより、前記受信された端末能力情報と予め保存された端末能力情報が一致しない問題を防止でき、また、コンビネーションサービス接続のためのシグナリング手順を単純化できる。また、前記端末能力情報交換／送信手順が前記受信された能力バージョン値が該当端末の予め保存された能力バージョンと異なる場合にのみ行われるので、ネットワーク負荷を減らすことができ、ＣＳＩサービス手順を効果的かつ効率的に行うことができる。
【０１０７】
また、１人のユーザは、一般的に多数の端末を所有しており、前記端末は、同一のパブリックユーザＩＤを使用する。ここで、一般的なコンビネーションサービスシステムにおいて、各端末は、前記パブリックユーザＩＤに基づいて端末能力情報を保存するため、前記同一のパブリックユーザＩＤ（例えば、ＵＲＩ）を使用する多数の端末のそれぞれの端末能力情報を区別できないので、端末能力情報が一致しない問題が発生する。しかし、本発明は、例えば、ハッシュ関数やその他の暗号化／復号化関数を利用することにより、少なくとも端末のパブリックユーザＩＤ、端末のプライベートユーザＩＤ、及び端末の端末能力情報に基づいて、又は、少なくとも前記パブリックユーザＩＤ及び端末の端末能力情報に基づいて、固有の端末能力バージョンを生成できる。従って、１人のユーザが多数の端末を所有しており、全ての端末に対して同一のＵＲＩを使用する場合も、各端末の端末能力情報に基づいて固有の値を有する相異なる端末能力バージョンを生成できる。
【０１０８】
従って、本発明によって、各端末は、端末の現在の端末能力情報に基づいて固有の端末能力バージョンを有するので、多数の端末と前記多数の端末のそれぞれの端末能力情報を区別できる。
【０１０９】
また、従来は、発信側が受信側の予め保存された情報を確認し、前記端末能力情報が変更（更新）されたか否かを判断して端末能力情報交換手順を行っていたので、発信側のユーザが、ユーザが所有している多数の端末のうち特定端末に呼転送機能を設定しておいた場合、不必要な端末能力情報交換手順が行われていた。
【０１１０】
しかし、本発明では、呼設定中又はセッション設定中に端末能力バージョンに変更が発生すると、相手側の端末能力バージョンを受信した一方側（すなわち、発信側又は受信側）は、前記受信された端末能力バージョンと予め保存された端末能力バージョンとを比較して前記端末能力情報が変更されたか否かを判断する。これにより、呼交換のような追加サービスを利用する場合に発生する従来の問題が解決できる。
【０１１１】
図７及び図８は、本発明の第３実施形態による端末能力バージョンを利用したコンビネーションサービスの実行方法を示す。図７及び図８に示すように、前記第３実施形態は、少なくとも第１ユーザと第２ユーザ間でコンビネーションサービスが行われる場合、また、前記第２ユーザが同一のパブリックユーザＩＤを使用する複数の端末を所有している場合について説明する。図７及び図８の方法は、前述したように、固有の端末能力バージョンを生成する方法を含む。図７及び図８の方法は、図１及び図３のシステム及び装置、又は他の類似したもしくは適した装置／システムで実現できる。端末１００又は２００が行う過程は、前記端末１００又は２００のコントローラ１５０により実行及び／又は制御できる。
【０１１２】
図７及び図８に示すように、本発明によるコンビネーションサービスを行うためのシステムにおいて、第１ユーザは、第１端末１００を使用し、第２ユーザは、例えば、ここでは２−１端末２１０と２−２端末２２０と表す多数の端末２００を使用する。前記２−１端末２１０及び２−２端末２２０は、同一のパブリックユーザＩＤ、例えば、ＵＲＩを使用する。図７及び８に示すコンビネーションサービス実行方法において、前記コンビネーションサービスがＣＳＩサービスである場合、ＣＳ呼が先に設定された後、ＩＭＳセッションが設定される。また、図７及び図８の方法において、前記第２ユーザは、受信される呼（ｉｎｃｏｍｉｎｇ  ｃａｌｌ）を２−２端末２２０に転送する呼転送機能を予め設定する。この例において、２−１端末２１０及び２−２端末２２０のそれぞれの端末能力情報はＣＳＩサービス中に変更されないが、前記第１端末１００は、その端末能力情報を動的に更新する。その他の多様なシナリオも可能であり、本発明はそのようなシナリオに同様に適用される。
【０１１３】
第１ユーザの第１端末１００が第２ユーザの２−２端末２２０と以前にＣＳＩサービスを行ったことがあったため、第１端末１００と２−２端末２２０のそれぞれには相手のパブリックユーザＩＤ、端末能力情報、及び端末能力バージョンが既に保存されていると仮定する。
【０１１４】
その後、第１端末１００は、前記第２ユーザの第２−１端末２１０とＣＳＩサービスを行う。従って、第１端末１００と第２−１端末２１０のぞれぞれには、前記ＣＳＩサービス接続設定中に交換された相手端末のパブリックユーザＩＤ、端末能力情報、及び端末能力バージョンが保存される（Ｓ７１）。
【０１１５】
すなわち、第１端末１００には、２−１端末２１０のパブリックユーザＩＤ、端末能力情報、及び端末能力バージョンが保存され、また、２−２端末２２０のパブリックユーザＩＤ、端末能力情報、及び端末能力バージョンが保存される。ここで、第１端末１００の端末能力バージョンは、例えば、１０００  ０１００であり、端末２１０、２２０の端末能力バージョンは、例えば、それぞれ００１０  １０１０及び１０００  １００１である。前記端末２１０、２２０の能力バージョンは、前述したように、パブリックユーザＩＤ及び／又はプライベートユーザＩＤの有無に関係なく、前記端末能力情報に基づいて生成でき、各能力バージョン（値）は固有の値である。
【０１１６】
その後、カメラなどのマルチメディアデバイスが着脱されるなど、第１端末１００の端末能力情報が変更されると、第１端末１００は、少なくとも変更されたその端末能力情報を利用して固有の端末能力バージョンを再び生成する（Ｓ７２）。ここで、生成された第１端末１００の端末能力バージョンは、例えば、１０００  ０１０１である。
【０１１７】
前記端末能力情報が変更された前記第１端末１００が２−１端末２１０と他のＣＳＩサービスを行おうとする場合、２−１端末２１０は、第１端末１００の変更された端末能力バージョンにより第１端末１００の現在の端末能力情報が変更されたと判断する。すなわち、前記端末２１０は、前記第１端末１００の変更された端末能力バージョンとすでに保存されたバージョンとを比較して前記のような判断を行う。その後、２−１端末２１０は、例えばＯＰＴＩＯＮＳ要求などを利用して第１端末１００の変更された端末能力情報を要求して受信する（Ｓ７３）。
【０１１８】
次に、第２ユーザは、２−１端末２００に受信される呼が２−２端末２２０に転送されるように呼転送機能を登録する（Ｓ７４及びＳ７５）。例えば、第２ユーザ（２−２端末２２０）は、前記呼転送要求を第２ＩＭＳコアネットワーク４２０に登録する。これにより、呼転送機能設定情報（前記呼転送機能に関する情報）が生成されて適切に保存される。他の実施形態において、２−１端末２１０は、前記呼転送要求を第２ＩＭＳコアネットワーク４２０に登録する。これにより、呼転送機能設定情報（前記呼転送機能に関する情報）が生成されて適切に保存される。
【０１１９】
その後、第１端末１００が第２ユーザ、すなわち、２−１端末２２０とＣＳＩサービスを行おうとする場合、第１端末１００は、第２ユーザの２−１端末２１０に呼設定メッセージ（例えば、ＳＥＴＵＰメッセージ）を送信する。前記呼設定メッセージには第１端末１００の現在の端末能力バージョンが含まれる。ここで、前記端末能力バージョンは、例えば、１０００  ０１０１である。
【０１２０】
前記呼転送機能が登録されているため、前記第２ＩＭＳコアネットワーク４２０は、前記登録された呼転送機能を利用して前記呼設定メッセージを第２ユーザの２−２端末２２０に送信する（Ｓ７６）。
【０１２１】
２−２端末２２０は、受信された呼設定メッセージに対する応答メッセージとして接続メッセージ（ＣＯＮＮＥＣＴ）を第１端末１００に送信する（Ｓ７７）。前記接続メッセージ（ＣＯＮＮＥＣＴ）には２−２端末２２０の現在の端末能力バージョン、例えば、１０００  １００１が含まれる。従って、ＣＳ呼が第１端末１００と２−２端末２２０間に設定される。
【０１２２】
第１端末１００は、受信された２−２端末２２０の端末能力バージョンとすでに保存された２−２端末２２０の端末能力バージョンとを比較する。比較結果によって、第１端末１００は、端末能力情報交換手順を選択して行うか、ＩＭＳセッション接続設定手順を直ちに行う（Ｓ７８）。
【０１２３】
すなわち、段階Ｓ７８で、前記受信された２−２端末２２０の端末能力バージョンが保存された第２−２端末２２０の端末能力バージョンと一致しないと判断された場合、第１端末１１０は、前記２−２端末２２０の端末能力情報が以前のＣＳＩサービスを行った後に変更されたと判断し、前記２−２端末２２０にＯＰＴＩＯＮＳ要求メッセージを送信した後、互いに端末能力情報を交換（又は、受信）する（Ｓ８２及びＳ８３）。これに対して、前記段階Ｓ７８で、前記受信された２−２端末２２０の端末能力バージョンが前記保存された２−２端末２２０の端末能力バージョンと一致すると判断された場合、前記第１端末１００は、前記２−２端末２２０の端末能力情報が変更されなかったと判断し、前記端末能力情報交換手順を実行せずに、直ちにＩＭＳセッション設定手順に進む（Ｓ８６）。
【０１２４】
これに対して、２−２端末２２０は、前記受信された第１端末１００の端末能力バージョンと保存された第１端末１００の端末能力バージョンとを比較し、前記判断結果に基づいて前記第１端末１００と端末能力交換手順を選択的に行う（Ｓ７９）。前記直近に受信された第１端末１００の端末能力バージョンが保存された第１端末１００の端末能力バージョンと一致しない場合、例えば、前記受信された端末能力バージョンが１０００  ０１０１で、保存された端末能力バージョンが１０００  ０１００である場合、２−２端末２２０は、前記第１端末１００の現在の端末能力情報が以前のＣＳＩサービスを行った後に変更されたと判断する。従って、２−２端末２２０は、２−２端末２２０が保存している第１端末１００の端末能力情報を更新して第１端末１００の実際の（変更された）端末能力情報と一致させるために、第１端末１００と端末能力情報交換手順を行うと決定する。前記端末能力情報交換手順は、２−２端末２２０が第１端末１００にＯＰＴＩＯＮＳ要求メッセージを送信することにより開始される（Ｓ８０）。
【０１２５】
前記ＯＰＴＩＯＮＳ要求メッセージを受信した第１端末１００は、ＯＰＴＩＯＮＳ応答メッセージにより第１端末１００の変更された端末能力情報を送信する（Ｓ８１）。前記ＯＰＴＩＯＮＳ応答メッセージには前記第１端末１００の端末能力バージョンも含まれる。２−２端末２２０は、前記ＯＰＴＩＯＮＳ応答メッセージにより第１端末１００の変更された端末能力情報を受信した後、前記受信された情報を保存する。
【０１２６】
その後、第１端末１００と第２−２端末２２０は、公知のセッション設定手順にによってＩＭＳセッションを設定し（Ｓ８６）、ＣＳＩサービスによってメディアデータを交換する（Ｓ８７）。
【０１２７】
本発明は、端末能力バージョンを使用して端末能力情報が変更されたか否かを判断し、前記判断によって、端末能力情報が変更された端末にのみ端末能力情報を要求する。従って、本発明により、端末能力情報を要求して受信する段階Ｓ８０及びＳ８１並びに／又はＳ８２及びＳ８３は、前記能力バージョン（値）の比較により判断される前記端末能力情報が変更されない場合は行う必要がない。
【０１２８】
また、ＣＳＩサービスを行ったことのある２つの端末間で以前のＣＳＩサービス実行後に少なくとも１つの端末の端末能力情報が変更された場合、端末能力バージョンを利用して各端末の端末能力情報が変更されたか否かを正確に認知するので、各端末のローカル領域（保存ユニット）に保存された端末能力情報を更新できるため、ＩＭＳセッション設定時の不必要なシグナリング手順（例えば、段階Ｓ８４及びＳ８５）を防止できる。例えば、各端末が相互間の通信により常に他方の端末の正確な能力情報を有するので、他方の端末の不正確な能力情報によってＩＮＶＩＴＥメッセージを送信して失敗した応答を受信する手順（Ｓ８４及びＳ８５）を防止できる。
【０１２９】
図７及び図８の独創的な概念は、同一のパブリックユーザＩＤを有する端末間でＩＭＳセッションを先に設定した後、ＣＳ呼を設定（例えば、図５）する状況に同様に適用できる。
【０１３０】
このようにユーザが同一のパブリックユーザＩＤを使用する複数の端末を所有している場合、少なくとも各端末の端末能力情報に基づいて固有の相異なる端末能力バージョンが生成され、この生成された端末能力バージョンが呼設定中又はセッション設定中に交換される。よって、本発明では、発信側端末と受信（着信）側端末は、相手端末の端末能力情報が変更されたか否かを確認することができる。従って、呼転送などの付加サービスを使用する場合に発生する従来の問題を解決できる。
【０１３１】
本発明の好ましい実施形態によれば、各端末は、ＣＳ、ＩＭＳのようなＳＩＰベースサービス、ＣＳＩのようなコンビネーションサービスなどを提供できるＵＥ又は移動端末であるが、これに限定されるものではない。また、端末の例として、ＰＴ（Ｐｕｓｈ  Ｔｏ）クライアント、携帯電話、ＵＭＴＳ又は同種のＵＥ（ユーザ装置）又は、ＧＳＭ又は同種のＭＳ（移動局）、ラップトップコンピュータ、ＰＤＡ（ｐｅｒｓｏｎａｌ  ｄｉｇｉｔａｌ  ａｓｓｉｓｔａｎｔ）、多様なタイプの移動端末があるが、これに限定されるものではない。ＰＴクライアントは、ＰｏＣ（Ｐｕｓｈ−ｔｏ−ｔａｌｋ  Ｏｖｅｒ  Ｃｅｌｌｕｌａｒ）クライアント、ＰＴＶ（Ｐｕｓｈ  Ｔｏ  Ｖｉｅｗ）クライアント、ＰＴＤ（Ｐｕｓｈ  ｔｏ  Ｄａｔａ）クライアントなどのＰＴＴ（Ｐｕｓｈ  Ｔｏ  Ｔａｌｋ）クライアントでもよい。
【０１３２】
本発明によると、前述したような第１〜３実施形態において、同一又は類似の段階がある。このように、本発明の一実施形態で述べた変更例は、必要によって、本発明の他の実施形態にも適用できる。また、端末が他方の端末に関してすでに保存された能力バージョンと異なる能力バージョンを受信する度に、前記端末は、前記受信された能力バージョンを前記他方の端末の現在の能力バージョンとして保存する。前記他方の端末の端末能力情報に対しても類似した保存手順が行われる。また、能力バージョンの比較時、端末にターゲット端末の端末能力バージョンが保存されていない場合、前記端末は、前記ターゲット端末に能力バージョン及び／又は能力情報を要求する動作を行う。
【０１３３】
本発明の方法は、部分的には既存のコンピュータプログラミング言語を使用して実行できる。このようなコンピュータプログラムは、少なくとも１つのコンピュータ、又はネットワーク及び／もしくは端末などのコンピュータベース装置に用いられる、ハードドライブ、ＲＡＭ、ＲＯＭ、ＰＲＯＭなどの携帯用又は他の形態の保存ユニットやメモリに保存される。また、このようなコンピュータプログラムは、ＵＳＢ、磁気ディスク、光ディスク、光磁気ディスクなどの他の記憶媒体に保存される。このようなコンピュータプログラムは、さらに、インターネット、エクストラネット、イントラネット、又は他のネットワークを介して伝播されて送信先装置（例えば、ネットワークサーバ又は端末）に届く信号の形態で保存及び実現される。前記コンピュータプログラムは、一般的なコンピュータやコンピュータベース装置を利用して判読できる。
【０１３４】
本発明の思想や重要な特性から外れない限り、本発明は多様な形態で実現することができ、前述した実施形態によって限定されるものでなく、むしろ請求の範囲に記載の本発明の思想や範囲内で広く解釈されるべきであり、本発明の請求の範囲内で行われるあらゆる変更及び変形、並びに請求の範囲の均等物は本発明の請求の範囲に含まれる。
【図面の簡単な説明】
【０１３５】
発明の理解を容易にするために添付され、本明細書の一部を構成する図面は、発明の多様な実施形態を示し、明細書と共に発明の原理を説明するためのものである。
【図１】第１端末と第２端末間で一般的なコンビネーションサービスを提供するためのネットワーク構成を示す図である。
【図２】図１の第１及び第２端末間で一般的な端末能力情報交換方法を示す図である。
【図３】本発明の一実施形態による現在の端末能力情報による端末能力バージョンを保存するための保存ユニットを備えた端末を示す図である。
【図４】本発明による現在の端末能力情報に該当する固有の端末能力バージョンを生成する方法の他の例を示す図である。
【図５】本発明の第１実施形態による端末能力バージョンを利用したコンビネーションサービス提供方法を示す図である。
【図６】本発明の第２実施形態による端末能力バージョンを利用したコンビネーションサービス提供方法を示す図である。
【図７】本発明の第３実施形態による端末能力バージョンを利用したコンビネーションサービス提供方法を示す図である。
【図８】本発明の第３実施形態による端末能力バージョンを利用したコンビネーションサービス提供方法を示す図である。
【図１】
2008546347.tif 000004
【図２】
2008546347.tif 000005
【図３】
2008546347.tif 000006
【図４】
2008546347.tif 000007
【図５】
2008546347.tif 000008
【図６】
2008546347.tif 000009
【図７】
2008546347.tif 000010
【図８】
2008546347.tif 000011
【国際調査報告】
2008546347.tif 000012
2008546347.tif 000013